(57)【要約】【課題】  無線通信の使用形態の規制を緩和させ、ユーザが容易に無線通信を行うことが可能となる無線通信システムを提供する。【解決手段】  通信キャリアが具備するＣＵＧ（Ｃｌｏｓｅｄ  Ｕｓｅｒ  Ｇｒｏｕｐ）サーバ（２００−１〜Ｎ（Ｎは任意の整数））を外部のＡＳＰ（Ａｐｐｌｉｃａｔｉｏｎ  Ｓｅｒｖｉｃｅ  Ｐｒｏｖｉｄｅｒ）等の企業側に設け、その外部に設けたＣＵＧサーバ（２００−１〜Ｎ）に、特定のＰＴＴ通信端末装置間（１〜Ｎ（Ｎは任意の整数））で無線通信処理を行うＰＴＴ通信端末装置のグループ情報を登録し、ＰＴＴ通信端末装置（１〜Ｎ）の管理を行う。【選択図】  図１
2005117197.tif 000002
【特許請求の範囲】
【請求項１】
プレストークスイッチを用いて無線通信を行う複数の通信端末装置と、前記通信端末装置間の無線処理を確立するサーバと、前記無線処理を確立する前記通信端末装置を管理する複数のＣＵＧサーバと、を有し、前記サーバと前記ＣＵＧサーバとは各々異なる事業者が保持して構成される無線通信システムであって、
前記ＣＵＧサーバは、
前記プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段を有し、
前記通信端末装置は、
前記プレストークスイッチを用いて無線通信を行う特定の通信端末装置間のグループ情報を前記ＣＵＧサーバから取得する無線通信グループ取得手段と、
前記無線通信グループ取得手段により取得したグループ情報内の第２の通信端末装置に対して音声情報を通知するための音声情報通知要求を前記グループ情報と共に前記サーバに送信する音声情報通知要求手段と、を有し、
前記サーバは、
前記通信端末装置から音声情報通知要求を受信した際に、前記音声通知要求と共に受信したグループ情報内のＣＵＧ識別情報を基に、前記通信端末装置のグループ情報を前記ＣＵＧサーバから取得し、該取得したグループ情報内における通信端末装置間の無線通信を確立し、前記グループ情報内の第２の通信端末装置に対して音声情報を送信する無線通信確立手段を有することを特徴とする無線通信システム。
【請求項２】
プレストークスイッチを用いて無線通信を行う複数の通信端末装置と、前記通信端末装置間の無線処理を確立するサーバと、前記無線通信を確立する通信端末装置を管理する複数のＣＵＧサーバと、前記ＣＵＧサーバを管理するＣＵＧ管理データベースと、を有し、前記サーバと前記ＣＵＧサーバとは各々異なる事業者が保持して構成される無線通信システムであって、
前記ＣＵＧサーバは、
前記プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、
前記グループ情報格納手段により格納した前記グループ情報を前記ＣＵＧ管理データベースに登録するグループ情報登録手段と、を有し、
前記通信端末装置は、
前記プレストークスイッチを用いてワイヤレス通信を行う特定の通信端末装置間のグループ情報を前記ＣＵＧサーバから取得する無線通信グループ取得手段と、
前記無線通信グループ取得手段により取得したグループ情報内の第２の通信端末装置に対して音声情報を通知するための音声情報通知要求を前記グループ情報と共に前記サーバに送信する音声情報通知要求手段と、を有し、
前記サーバは、
前記通信端末装置から音声情報通知要求を受信した際に、前記音声通知要求と共に受信したグループ情報内のＣＵＧ識別情報を基に、前記通信端末装置のグループ情報を前記ＣＵＧ管理データベースから取得し、該取得したグループ情報内における通信端末装置間の無線通信を確立し、前記グループ情報内の第２の通信端末装置に対して音声情報を送信する無線通信確立手段を有することを特徴とする無線通信システム。
【請求項３】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、を有し、前記サーバと前記ＣＵＧサーバとは各々異なる事業者が保持して構成される無線通信システムであって、
前記ＣＵＧサーバは、
前記プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、
前記サーバから通信端末装置の認証要求を受信した際に、前記グループ情報格納手段により格納したグループ情報に前記通信端末装置の情報が格納されているか否かを判定し、その認証結果を前記サーバに送信する認証応答送信手段と、を有し、
前記通信端末装置は、
前記プレストークスイッチを用いて無線通信を行う特定の通信端末装置間のグループ情報を前記ＣＵＧサーバから取得する無線通信グループ取得手段と、
前記無線通信グループ取得手段により取得したグループ情報内の第２の通信端末装置に対して音声情報を通知するための音声情報通知要求を前記グループ情報と共に前記サーバに送信する音声情報通知要求手段と、
前記音声情報通知要求手段により前記音声情報通知要求を送信した前記サーバから、前記音声情報通知要求に応じる旨の応答結果を受信した際に、前記第２の通信端末装置に対する音声情報を前記サーバに送信する音声情報送信手段と、を有し、
前記サーバは、
前記通信端末装置から音声情報通知要求を受信した際に、前記音声情報通知要求と共に受信したグループ情報内のＣＵＧ識別情報を基に前記ＣＵＧサーバを選択し、前記通信端末装置の認証要求を前記ＣＵＧサーバに送信する認証要求送信手段と、
前記認証要求送信手段により認証要求を送信した前記ＣＵＧサーバから認証結果を受信した際に、その認証結果に応じて前記通信端末装置のグループ情報内における通信端末装置間の無線通信を確立し、前記通信端末装置から受信した音声情報通知要求に応じるか否かの応答結果を前記通信端末装置に送信する音声情報通知応答手段と、
前記通信端末装置から前記第２の通信端末装置に対する音声情報を受信した際に、該受信した音声情報を前記第２の通信端末装置に送信する音声情報中継手段と、を有することを特徴とする無線通信システム。
【請求項４】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、前記ＣＵＧサーバを管理するＣＵＧ管理データベースと、を有し、前記サーバと前記ＣＵＧサーバとは各々異なる事業者が保持して構成される無線通信システムであって、
前記ＣＵＧサーバは、
前記プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、
前記グループ情報格納手段により格納した前記グループ情報を前記ＣＵＧ管理データベースに登録するグループ情報登録手段と、を有し、
前記通信端末装置は、
前記プレストークスイッチを用いて無線通信を行う特定の通信端末装置間のグループ情報を前記ＣＵＧサーバから取得する無線通信グループ取得手段と、
前記無線通信グループ取得手段により取得したグループ情報内の第２の通信端末装置に対して音声情報を通知するための音声情報通知要求を前記グループ情報と共に前記サーバに送信する音声情報通知要求手段と、
前記音声情報通知要求手段により前記音声情報通知要求を送信した前記サーバから前記音声情報通知要求に応じる旨の応答結果を受信した際に、前記第２の通信端末装置に対する音声情報を前記サーバに送信する音声情報送信手段と、を有し、
前記サーバは、
前記通信端末装置から音声情報通知要求を受信した際に、前記音声情報通知要求と共に受信したグループ情報内のＣＵＧ識別情報を基に、前記通信端末装置の情報が前記ＣＵＧ管理データベースに登録されているか否かを判定し、その判定結果に応じて前記通信端末装置のグループ情報内における通信端末装置間の無線通信を確立し、前記通信端末装置から受信した音声情報通知要求に応じるか否かの応答結果を前記通信端末装置に送信する音声情報通知応答手段と、
前記通信端末装置から前記第２の通信端末装置に対する音声情報を受信した際に、該受信した音声情報を前記第２の通信端末装置に送信する音声情報中継手段と、を有することを特徴とする無線通信システム。
【請求項５】
前記通信端末装置は、
前記無線通信グループ取得手段により前記ＣＵＧサーバから取得した前記グループ情報を格納するグループ情報格納手段を更に有し、
前記音声情報通知要求手段は、
前記グループ情報格納手段により格納した前記グループ情報内の第２の通信端末装置に対して音声情報を通知するための音声情報通知要求を前記グループ情報と共に前記サーバに送信することを特徴とする請求項１から４の何れか１項に記載の無線通信システム。
【請求項６】
前記無線通信グループ取得手段は、
前記ＣＵＧサーバに接続し、前記グループ情報を前記ＣＵＧサーバから取得し、
前記音声情報通知要求手段は、
前記ＣＵＧサーバに接続して取得した前記グループ情報内の第２のＰＴＴ通信端末装置に対して音声情報を通知するための音声情報通知要求を前記グループ情報と共に前記サーバに送信することを特徴とする請求項１から５の何れか１項に記載の無線通信システム。
【請求項７】
前記音声情報通知応答手段は、
前記認証要求送信手段により認証要求を送信した前記ＣＵＧサーバから受信した前記認証結果が、前記グループ情報格納手段により格納したグループ情報に前記通信端末装置の情報が格納されている旨の認証結果である場合には、前記通信端末装置のグループ情報内における通信端末装置間の無線通信を確立し、前記音声情報通知要求に応じる応答結果を前記通信端末装置に送信し、
前記認証結果が、前記グループ情報格納手段により格納したグループ情報に前記通信端末装置の情報が格納されていない旨の認証結果である場合には、前記通信端末装置のグループ情報内における通信端末装置間の無線通信を確立せず、前記音声情報通知要求に応じない応答結果を前記通信端末装置に送信することを特徴とする請求項３記載の無線通信システム。
【請求項８】
前記音声情報通知応答手段は、
前記通信端末装置の情報が前記ＣＵＧ管理データベースに登録されていると判定した場合には、前記通信端末装置のグループ情報内における通信端末装置間の無線通信を確立し、前記通信端末装置から受信した音声情報通知要求に応じる応答結果を前記通信端末装置に送信し、
前記通信端末装置の情報が前記ＣＵＧ管理データベースに登録されていないと判定した場合には、前記通信端末装置のグループ情報内における通信端末装置間の無線通信を確立せず、前記通信端末装置から受信した音声情報通知要求に応じない応答結果を前記通信端末装置に送信することを特徴とする請求項４記載の無線通信システム。
【請求項９】
前記通信端末装置は、
前記ＣＵＧサーバから取得した前記グループ情報内の第２の通信端末装置に対して音声情報を通知するための音声情報通知要求と共に前記第２の通信端末装置に対する音声情報を前記サーバに送信する音声情報同時要求手段を更に有し、
前記サーバは、
前記通信端末装置から前記音声情報通知要求と共に受信した音声情報を前記第２の通信端末装置に送信する音声情報同時送信手段を更に有することを特徴とする請求項３から８の何れか１項に記載の無線通信システム。
【請求項１０】
前記グループ情報内の第２の通信端末装置は、前記グループ情報内の少なくとも１つの通信端末装置であり、
前記通信端末装置は、
前記グループ情報内の少なくとも１つの通信端末装置を選択し、前記グループ情報内の第２の通信端末装置を設定する第２の通信端末装置設定手段を更に有することを特徴とする請求項１から９の何れか１項に記載の無線通信システム。
【請求項１１】
前記音声情報同時送信手段は、
前記ＣＵＧサーバから受信した認証結果が、前記グループ情報格納手段に格納したグループ情報に前記通信端末装置の情報が格納されている旨の認証結果である場合に、前記通信端末装置のグループ情報内における通信端末装置間の無線通信を確立し、前記通信端末装置から前記音声情報通知要求と共に受信した音声情報を前記第２の通信端末装置に送信することを特徴とする請求項９記載の無線通信システム。
【請求項１２】
前記音声情報同時送信手段は、
前記通信端末装置の情報が前記ＣＵＧ管理データベースに登録されていると判定した場合に、前記通信端末装置のグループ情報内における通信端末装置間の無線通信を確立し、前記通信端末装置から前記音声情報通知要求と共に受信した音声情報を前記第２の通信端末装置に送信することを特徴とする請求項９記載の無線通信システム。
【請求項１３】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、を有し、前記サーバと前記ＣＵＧサーバとは各々異なる事業者が保持して構成される無線通信システムを用いて行う無線通信方法であって、
前記ＣＵＧサーバが、前記プレストークスイッチを用いて無線通信を行う特定の通信端末装置間のグループを作成し、該作成したグループに前記ＣＵＧサーバを識別するＣＵＧ識別情報を付与したグループ情報を前記ＣＵＧサーバの具備する格納部に登録するグループ情報登録工程と、
第１の通信端末装置が、前記グループ情報を前記ＣＵＧサーバから取得し、該取得したグループ情報内の第２の通信端末装置に対して音声情報を通知するための音声情報通知要求を前記グループ情報と共に前記サーバに送信する音声情報通知要求工程と、
前記サーバが、前記第１の通信端末装置から音声情報通知要求を受信した際に、前記音声情報通知要求と共に受信したグループ情報内のＣＵＧ識別情報を基に、前記第１の通信端末装置のグループ情報を前記ＣＵＧサーバから取得し、該取得したグループ情報内における通信端末装置間の無線通信を確立し、前記グループ情報内の第２の通信端末装置に対して音声情報を送信する無線通信確立工程と、
を行うことを特徴とする無線通信方法。
【請求項１４】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、前記ＣＵＧサーバを管理するＣＵＧ管理データベースと、を有し、前記サーバと前記ＣＵＧサーバとは各々異なる事業者が保持して構成される無線通信システムを用いて行う無線通信方法であって、
前記ＣＵＧサーバが、前記プレストークスイッチを用いて無線通信を行う特定の通信端末装置間のグループを作成し、該作成したグループに前記ＣＵＧサーバを識別するＣＵＧ識別情報を付与したグループ情報を前記ＣＵＧサーバの具備する格納部に登録するグループ情報登録工程と、
前記ＣＵＧサーバが、前記格納部に登録したグループ情報を前記ＣＵＧ管理データベースに登録する第２のグループ情報登録工程と、
第１の通信端末装置が、前記グループ情報を前記ＣＵＧサーバから取得し、該取得したグループ情報内の第２の通信端末装置に対して音声情報を通知するための音声情報通知要求を前記グループ情報と共に前記サーバに送信する音声情報通知要求工程と、
前記サーバが、前記第１の通信端末装置から音声情報通知要求を受信した際に、前記音声情報通知要求と共に受信したグループ情報内のＣＵＧ識別情報を基に、前記第１の通信端末装置のグループ情報を前記ＣＵＧ管理データベースから取得し、該取得したグループ情報内における通信端末装置間の無線通信を確立し、前記グループ情報内の第２の通信端末装置に対して音声情報を送信する無線通信確立工程と、
を行うことを特徴とする無線通信方法。
【請求項１５】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、を有し、前記サーバと前記ＣＵＧサーバとは各々異なる事業者が保持して構成される無線通信システムを用いて行う無線通信方法であって、
前記ＣＵＧサーバが、前記プレストークスイッチを用いて無線通信を行う特定の通信端末装置間のグループを作成し、該作成したグループに前記ＣＵＧサーバを識別するＣＵＧ識別情報を付与したグループ情報を前記ＣＵＧサーバの具備する格納部に登録するグループ情報登録工程と、
第１の通信端末装置が、前記グループ情報を前記ＣＵＧサーバから取得し、該取得した前記グループ情報内の第２の通信端末装置に対して音声情報を通知するための音声情報通知要求を前記グループ情報と共に前記サーバに送信する音声情報通知要求工程と、
前記サーバが、前記第１の通信端末装置から前記音声情報通知要求を受信した際に、前記音声情報通知要求と共に受信したグループ情報内のＣＵＧ識別情報を基に前記ＣＵＧサーバを選択し、前記第１の通信端末装置の認証要求を前記ＣＵＧサーバに送信する認証要求送信工程と、
前記ＣＵＧサーバが、前記サーバから第１の通信端末装置の認証要求を受信した際に、前記グループ情報登録工程により前記格納部に登録したグループ情報に前記第１の通信端末装置の情報が登録されているか否かを判定し、その認証結果を前記サーバに送信する認証応答送信工程と、
前記サーバが、前記ＣＵＧサーバから前記認証結果を受信した際に、その認証結果に応じて前記通信端末装置のグループ情報内における通信端末装置間の無線通信を確立し、前記第１の通信端末装置から受信した音声情報通知要求に応じるか否かの応答結果を前記第１の通信端末装置に送信する音声情報通知応答工程と、
前記第１の通信端末装置が、前記サーバから前記応答結果を受信した際に、その応答結果が前記音声情報通知要求に応じる旨の応答結果の場合に、前記第２の通信端末装置に対する音声情報を前記サーバに送信する音声情報送信工程と、
前記サーバが、前記第２の通信端末装置に対する音声情報を受信した際に、該受信した音声情報を第２の通信端末装置に送信する音声情報中継工程と、
を行うことを特徴とする無線通信方法。
【請求項１６】
プレストークスイッチを用いて無線通信を行う複数の通信端末装置と、前記通信端末装置間の無線通信を確立するサーバと、前記無線通信を確立する前記通信端末装置を管理する複数のＣＵＧサーバと、前記ＣＵＧサーバを管理するＣＵＧ管理データベースと、を有し、前記サーバと前記ＣＵＧサーバとは各々異なる事業者が保持して構成される無線通信システムを用いて行う無線通信方法であって、
前記ＣＵＧサーバが、前記プレストークスイッチを用いて無線通信を行う特定の通信端末装置間のグループを作成し、該作成したグループに前記ＣＵＧサーバを識別するＣＵＧ識別情報を付与したグループ情報を前記ＣＵＧサーバの具備する格納部に登録する第１のグループ情報登録工程と、
前記ＣＵＧサーバが、前記格納部に登録したグループ情報を前記ＣＵＧ管理データベースに登録する第２のグループ情報登録工程と、
第１の通信端末装置が、前記グループ情報を前記ＣＵＧサーバから取得し、該取得した前記グループ情報内の第２の通信端末装置に対して音声情報を通知するための音声情報通知要求を前記グループ情報と共に前記サーバに送信する音声情報通知要求工程と、
前記サーバが、前記第１の通信端末装置から前記音声情報通知要求を受信した際に、前記音声情報通知要求と共に受信したグループ情報内のＣＵＧ識別情報を基に、前記第１の通信端末装置の情報が前記ＣＵＧ管理データベースに登録されているか否かを判定し、その判定結果に応じて前記第１の通信端末装置のグループ情報内における通信端末装置間の無線通信を確立し、前記第１の通信端末装置から受信した音声情報通知要求に応じるか否かの応答結果を前記第１の通信端末装置に送信する音声情報通知応答工程と、
前記第１の通信端末装置が、前記サーバから前記応答結果を受信した際に、その応答結果が前記音声情報通知要求に応じる旨の応答結果の場合に、前記第２の通信端末装置に対する音声情報を前記サーバに送信する音声情報送信工程と、
前記サーバが、前記第２の通信端末装置に対する音声情報を受信した際に、該受信した音声情報を第２の通信端末装置に送信する音声情報中継工程と、
を行うことを特徴とする無線通信方法。
【請求項１７】
前記音声情報通知要求工程は、
前記第１の通信端末装置が、前記ＣＵＧサーバから取得した前記グループ情報を前記第１の通信端末装置の具備する格納部に格納し、該格納した前記グループ情報内の第２の通信端末装置に対して音声情報を通知するための音声情報通知要求を前記グループ情報と共に前記サーバに送信することを特徴とする請求項１３から１６の何れか１項に記載の無線通信方法。
【請求項１８】
前記音声情報通知要求工程は、
前記第１の通信端末装置が、前記ＣＵＧサーバにアクセスし、前記グループ情報を前記ＣＵＧサーバから取得し、該取得した前記グループ情報内の第２の通信端末装置に対して音声情報を通知するための音声情報通知要求を前記グループ情報と共に前記サーバに送信することを特徴とする請求項１３から１６の何れか１項に記載の無線通信方法。
【請求項１９】
前記音声情報通知応答工程は、
前記サーバが前記ＣＵＧサーバから受信した前記認証結果が、前記ＣＵＧサーバに登録されているグループ情報に前記第１の通信端末装置の情報が登録されている旨の認証結果である場合には、前記サーバが前記第１の通信端末装置のグループ情報内における通信端末装置間の無線通信を確立し、前記音声情報通知要求に応じる応答結果を前記第１の通信端末装置に送信し、
前記認証結果が、前記ＣＵＧサーバに登録されているグループ情報に前記第１の通信端末装置の情報が登録されていない旨の認証結果である場合には、前記サーバが前記第１の通信端末装置のグループ情報内における通信端末装置間の無線通信を確立せず、前記音声情報通知要求に応じない応答結果を前記第１の通信端末装置に送信することを特徴とする請求項１５記載の無線通信方法。
【請求項２０】
前記音声情報通知応答工程は、
前記第１の通信端末装置の情報が前記ＣＵＧ管理データベースに登録されていると判定した場合には、前記サーバが前記第１の通信端末装置のグループ情報内における通信端末装置間の無線通信を確立し、前記第１の通信端末装置から受信した音声情報通知要求に応じる応答結果を前記第１の通信端末装置に送信し、
前記第１の通信端末装置の情報が前記ＣＵＧ管理データベースに登録されていないと判定した場合には、前記サーバが前記第１の通信端末装置のグループ情報内における通信端末装置間の無線通信を確立せず、前記第１の通信端末装置から受信した音声情報通知要求に応じない応答結果を前記第１の通信端末装置に送信することを特徴とする請求項１６記載の無線通信方法。
【請求項２１】
前記第１の通信端末装置が、前記ＣＵＧサーバから取得した前記グループ情報内の第２の通信端末装置に対して音声情報を通知するための音声情報通知要求と共に前記第２の通信端末装置に対する音声情報を前記サーバに送信する音声情報同時要求工程と、
前記サーバが、前記第１の通信端末装置から前記音声情報通知要求と共に受信した音声情報を前記第２の通信端末装置に送信する音声情報同時送信工程と、
を更に行うことを特徴とする請求項１５から２０の何れか１項に記載の無線通信方法。
【請求項２２】
前記グループ情報内の第２の通信端末装置は、前記グループ情報内の少なくとも１つの通信端末装置であり、前記第１の通信端末装置が、前記グループ情報内の少なくとも１つの通信端末装置を選択する工程を更に有し、前記第１の通信端末装置が、前記グループ情報内の第２の通信端末装置を設定することを特徴とする請求項１３から２１の何れか１項に記載の無線通信方法。
【請求項２３】
前記音声情報同時送信工程は、
前記サーバが前記ＣＵＧサーバから受信した認証結果が、前記ＣＵＧサーバに登録されているグループ情報に前記第１の通信端末装置の情報が登録されている旨の認証結果である場合に、前記サーバが前記第１の通信端末装置から前記音声情報通知要求と共に受信した音声情報を前記第２の通信端末装置に送信することを特徴とする請求項２１記載の無線通信方法。
【請求項２４】
前記音声情報同時送信工程は、
前記サーバが、前記第１の通信端末装置の情報が前記ＣＵＧ管理データベースに登録されていると判定した場合に、前記サーバが前記第１の通信端末装置から前記音声情報通知要求と共に受信した音声情報を前記第２の通信端末装置に送信することを特徴とする請求項２１記載の無線通信方法。
【発明の詳細な説明】
【技術分野】
【０００１】
本発明は、プレストークスイッチを用いて通信端末装置間で無線通信処理を行う無線通信システム及び無線通信方法に関し、特に、特定の人数から構成されるグループ内だけで無線通信処理を行う、いわゆる開閉ユーザグループ（ＣＵＧ（Ｃｌｏｓｅｄ  Ｕｓｅｒ  Ｇｒｏｕｐ））を用いた無線通信システム及び無線通信方法に関するものである。なお、プレストークスイッチとは、通信端末装置の具備する所定の操作ボタンを押下することで通信相手側との無線通信処理を可能とする通信方法である。
【背景技術】
【０００２】
近年、無線通信を用いたサービスが数多く行われており、この無線通信を用いたサービスの１つとしてＰＴＴ（Ｐｕｓｈ  Ｔｏ  Ｔａｌｋ）を用いたワイヤレス通信システムが構築されている。
【０００３】
例えば、モトローラ（Ｍｏｔｏｒｏｌａ）（登録商標）社が開発した統合デジタル広域網を用いたｉＤＥＮ（登録商標）システムが挙げられる。このｉＤＥＮシステムは、予めグループ化した特定の通信端末装置間でＰＴＴ（Ｐｕｓｈ  Ｔｏ  Ｔａｌｋ）を用いて半二重による情報通信を行うための広域ベーストランシーバ装置（ＥＢＴＳ）を有して構成されており、音声情報を通信システム内のユーザ局間で転送するものである（例えば、非特許文献１参照）。なお、ＰＴＴ（Ｐｕｓｈ  Ｔｏ  Ｔａｌｋ）とは、通信端末装置の具備する特定のボタンを押下することで、通信相手側とのワイヤレス通信を可能とする通信方法であり半二重伝送方式に適用可能な通信方法である。
【非特許文献１】ＭＯＴＯＲＯＬＡ、“ｉＤＥＮ  Ｔｅｃｈｎｉｃａｌ  Ｏｖｅｒｖｉｅｗ”、［ｏｎｌｉｎｅ］、２０００年８月８日、モトローラ社・ネットワーク・ソリューション・セクター、［２００３年９月１２日］、インターネット＜ＵＲＬ：ｈｔｔｐ：／／ｉｄｅｎｐｈｏｎｅｓ．ｍｏｔｏｒｏｌａ．ｃｏｍ／ｉｄｅｎ／ｄｅｖｅｌｏｐｅｒ／ｄｅｖｅｌｏｐｅｒ＿ｔｅｃｈｎｉｃａｌ＿ｉｎｆｏ．ｊｓｐ＞Ｄｏｗｎｌｏａｄ  ｔｈｅ  Ｃｏｍｐｌｅｔｅ  ｉＤＥＮ  Ｓｙｓｔｅｍ  Ｏｖｅｒｖｉｅｗ  ｐｄｆ（２．７Ｍｂ）（Ｃｈａｐｔｅｒ４：Ｄｉｓｐａｔｃｈ  Ｃａｌｌ  Ｐｒｏｃｅｓｓｉｎｇ，４−３：Ｄｉｓｐａｔｃｈ  Ｌｏｃａｔｉｏｎ  Ａｒｅａ，Ｆｉｇｕｒｅ４−３  Ｓｉｍｐｌｉｆｉｅｄ  Ｄｉｓｐａｔｃｈ  Ｄｉａｇｒａｍ）
【発明の開示】
【発明が解決しようとする課題】
【０００４】
なお、従来のＰＴＴを用いた無線通信システムは、図１３に示すように、無線通信システムを提供するキャリア側が、ＰＴＴ通信端末装置間（１〜Ｎ）の無線通信処理を確立するＰＴＴサーバ（１００）と、特定の通信端末装置間（１〜Ｎ）で無線通信を行うための通信端末装置のグループ情報を管理するＣＵＧサーバ（２００）と、を連結して独占して保持しており、無線通信を利用するユーザがＰＴＴを用いた無線通信システムを提供するキャリア側の保持するＣＵＧサーバ（２００）に対してＰＴＴ通信端末装置（１〜Ｎ）のグループ情報を登録し、且つ、キャリア側に対してグループ情報内における無線通信の登録料を支払わなければ、特定のＰＴＴ通信端末装置間（１〜Ｎ）における無線通信を行うことはできないため、ユーザ側に対する無線通信の使用形態及び無線通信の料金形態が制限されており、無線通信システムを利用する利用者の拡大を規制していたことになる。
【０００５】
また、近年では様々なコミュニケーションサービスが市場規模において急激に増加しており、ＡＳＰ（Ａｐｐｌｉｃａｔｉｏｎ  Ｓｅｒｖｉｃｅ  Ｐｒｏｖｉｄｅｒ）等の企業側も独自の通信サービスを確立し、他社との差別化を図りユーザの獲得を図る必要がある。また、通信コストがそれほどかからなければ、常時利用したいと考える潜在ユーザが市場に存在しているのが現状であり、この潜在ユーザを獲得するような通信サービスを確立することは必須である。
【０００６】
本発明は上記事情に鑑みてなされたものであり、プレストークスイッチを用いた無線通信の使用形態の規制を緩和させ、ユーザが容易に無線通信処理を行うことが可能となる無縁通信システム及び無線通信方法を提供することを目的とするものである。
【課題を解決するための手段】
【０００７】
かかる目的を達成するために本発明は以下の特徴を有することとする。
【０００８】
本発明にかかる無線通信システムは、プレストークスイッチを用いて無線通信を行う複数の通信端末装置と、通信端末装置間の無線処理を確立するサーバと、無線処理を確立する通信端末装置を管理する複数のＣＵＧサーバと、を有し、サーバとＣＵＧサーバとは各々異なる事業者が保持して構成される無線通信システムであって、ＣＵＧサーバは、プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段を有し、通信端末装置は、プレストークスイッチを用いて無線通信を行う特定の通信端末装置間のグループ情報をＣＵＧサーバから取得する無線通信グループ取得手段と、無線通信グループ取得手段により取得したグループ情報内の第２の通信端末装置に対して音声情報を通知するための音声情報通知要求をグループ情報と共にサーバに送信する音声情報通知要求手段と、を有し、サーバは、通信端末装置から音声情報通知要求を受信した際に、音声通知要求と共に受信したグループ情報内のＣＵＧ識別情報を基に、通信端末装置のグループ情報をＣＵＧサーバから取得し、該取得したグループ情報内における通信端末装置間の無線通信を確立し、グループ情報内の第２の通信端末装置に対して音声情報を送信する無線通信確立手段を有することを特徴とする。
【０００９】
また、本発明にかかる無線通信システムは、プレストークスイッチを用いて無線通信を行う複数の通信端末装置と、通信端末装置間の無線処理を確立するサーバと、無線通信を確立する通信端末装置を管理する複数のＣＵＧサーバと、ＣＵＧサーバを管理するＣＵＧ管理データベースと、を有し、サーバとＣＵＧサーバとは各々異なる事業者が保持して構成される無線通信システムであって、ＣＵＧサーバは、プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、グループ情報格納手段により格納したグループ情報をＣＵＧ管理データベースに登録するグループ情報登録手段と、を有し、通信端末装置は、プレストークスイッチを用いてワイヤレス通信を行う特定の通信端末装置間のグループ情報をＣＵＧサーバから取得する無線通信グループ取得手段と、無線通信グループ取得手段により取得したグループ情報内の第２の通信端末装置に対して音声情報を通知するための音声情報通知要求をグループ情報と共にサーバに送信する音声情報通知要求手段と、を有し、サーバは、通信端末装置から音声情報通知要求を受信した際に、音声通知要求と共に受信したグループ情報内のＣＵＧ識別情報を基に、通信端末装置のグループ情報をＣＵＧ管理データベースから取得し、該取得したグループ情報内における通信端末装置間の無線通信を確立し、グループ情報内の第２の通信端末装置に対して音声情報を送信する無線通信確立手段を有することを特徴とする。
【００１０】
また、本発明にかかる無線通信システムは、プレストークスイッチを用いて無線通信を行う複数の通信端末装置と、通信端末装置間の無線通信を確立するサーバと、無線通信を確立する通信端末装置を管理する複数のＣＵＧサーバと、を有し、サーバとＣＵＧサーバとは各々異なる事業者が保持して構成される無線通信システムであって、ＣＵＧサーバは、プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、サーバから通信端末装置の認証要求を受信した際に、グループ情報格納手段により格納したグループ情報に通信端末装置の情報が格納されているか否かを判定し、その認証結果をサーバに送信する認証応答送信手段と、を有し、通信端末装置は、プレストークスイッチを用いて無線通信を行う特定の通信端末装置間のグループ情報をＣＵＧサーバから取得する無線通信グループ取得手段と、無線通信グループ取得手段により取得したグループ情報内の第２の通信端末装置に対して音声情報を通知するための音声情報通知要求をグループ情報と共にサーバに送信する音声情報通知要求手段と、音声情報通知要求手段により音声情報通知要求を送信したサーバから、音声情報通知要求に応じる旨の応答結果を受信した際に、第２の通信端末装置に対する音声情報をサーバに送信する音声情報送信手段と、を有し、サーバは、通信端末装置から音声情報通知要求を受信した際に、音声情報通知要求と共に受信したグループ情報内のＣＵＧ識別情報を基にＣＵＧサーバを選択し、通信端末装置の認証要求をＣＵＧサーバに送信する認証要求送信手段と、認証要求送信手段により認証要求を送信したＣＵＧサーバから認証結果を受信した際に、その認証結果に応じて通信端末装置のグループ情報内における通信端末装置間の無線通信を確立し、通信端末装置から受信した音声情報通知要求に応じるか否かの応答結果を通信端末装置に送信する音声情報通知応答手段と、通信端末装置から第２の通信端末装置に対する音声情報を受信した際に、該受信した音声情報を第２の通信端末装置に送信する音声情報中継手段と、を有することを特徴とする。
【００１１】
また、本発明にかかる無線通信システムは、プレストークスイッチを用いて無線通信を行う複数の通信端末装置と、通信端末装置間の無線通信を確立するサーバと、無線通信を確立する通信端末装置を管理する複数のＣＵＧサーバと、ＣＵＧサーバを管理するＣＵＧ管理データベースと、を有し、サーバとＣＵＧサーバとは各々異なる事業者が保持して構成される無線通信システムであって、ＣＵＧサーバは、プレストークスイッチを用いて無線通信を行う特定の通信端末装置間のグループを作成し、該作成したグループにＣＵＧサーバを識別するＣＵＧ識別情報を付与したグループ情報を格納するグループ情報格納手段と、グループ情報格納手段により格納したグループ情報をＣＵＧ管理データベースに登録するグループ情報登録手段と、を有し、通信端末装置は、プレストークスイッチを用いて無線通信を行う特定の通信端末装置間のグループ情報をＣＵＧサーバから取得する無線通信グループ取得手段と、無線通信グループ取得手段により取得したグループ情報内の第２の通信端末装置に対して音声情報を通知するための音声情報通知要求をグループ情報と共にサーバに送信する音声情報通知要求手段と、音声情報通知要求手段により音声情報通知要求を送信したサーバから音声情報通知要求に応じる旨の応答結果を受信した際に、第２の通信端末装置に対する音声情報をサーバに送信する音声情報送信手段と、を有し、サーバは、通信端末装置から音声情報通知要求を受信した際に、音声情報通知要求と共に受信したグループ情報内のＣＵＧ識別情報を基に、通信端末装置の情報がＣＵＧ管理データベースに登録されているか否かを判定し、その判定結果に応じて通信端末装置のグループ情報内における通信端末装置間の無線通信を確立し、通信端末装置から受信した音声情報通知要求に応じるか否かの応答結果を通信端末装置に送信する音声情報通知応答手段と、通信端末装置から第２の通信端末装置に対する音声情報を受信した際に、該受信した音声情報を第２の通信端末装置に送信する音声情報中継手段と、を有することを特徴とする。
【００１２】
また、本発明にかかる無線通信システムは、通信端末装置は、無線通信グループ取得手段によりＣＵＧサーバから取得したグループ情報を格納するグループ情報格納手段を更に有し、音声情報通知要求手段は、グループ情報格納手段により格納したグループ情報内の第２の通信端末装置に対して音声情報を通知するための音声情報通知要求をグループ情報と共にサーバに送信することを特徴とする。
【００１３】
また、本発明にかかる無線通信システムは、無線通信グループ取得手段は、ＣＵＧサーバに接続し、グループ情報をＣＵＧサーバから取得し、音声情報通知要求手段は、ＣＵＧサーバに接続して取得したグループ情報内の第２のＰＴＴ通信端末装置に対して音声情報を通知するための音声情報通知要求をグループ情報と共にサーバに送信することを特徴とする。
【００１４】
また、本発明にかかる無線通信システムは、音声情報通知応答手段は、認証要求送信手段により認証要求を送信したＣＵＧサーバから受信した認証結果が、グループ情報格納手段により格納したグループ情報に通信端末装置の情報が格納されている旨の認証結果である場合には、通信端末装置のグループ情報内における通信端末装置間の無線通信を確立し、音声情報通知要求に応じる応答結果を通信端末装置に送信し、認証結果が、グループ情報格納手段により格納したグループ情報に通信端末装置の情報が格納されていない旨の認証結果である場合には、通信端末装置のグループ情報内における通信端末装置間の無線通信を確立せず、音声情報通知要求に応じない応答結果を通信端末装置に送信することを特徴とする。
【００１５】
また、本発明にかかる無線通信システムは、音声情報通知応答手段は、通信端末装置の情報がＣＵＧ管理データベースに登録されていると判定した場合には、通信端末装置のグループ情報内における通信端末装置間の無線通信を確立し、通信端末装置から受信した音声情報通知要求に応じる応答結果を通信端末装置に送信し、通信端末装置の情報がＣＵＧ管理データベースに登録されていないと判定した場合には、通信端末装置のグループ情報内における通信端末装置間の無線通信を確立せず、通信端末装置から受信した音声情報通知要求に応じない応答結果を通信端末装置に送信することを特徴とする。
【００１６】
また、本発明にかかる無線通信システムは、通信端末装置は、ＣＵＧサーバから取得したグループ情報内の第２の通信端末装置に対して音声情報を通知するための音声情報通知要求と共に第２の通信端末装置に対する音声情報をサーバに送信する音声情報同時要求手段を更に有し、サーバは、通信端末装置から音声情報通知要求と共に受信した音声情報を第２の通信端末装置に送信する音声情報同時送信手段を更に有することを特徴とする。
【００１７】
また、本発明にかかる無線通信システムは、グループ情報内の第２の通信端末装置は、グループ情報内の少なくとも１つの通信端末装置であり、通信端末装置は、グループ情報内の少なくとも１つの通信端末装置を選択し、グループ情報内の第２の通信端末装置を設定する第２の通信端末装置設定手段を更に有することを特徴とする。
【００１８】
また、本発明にかかる無線通信システムは、音声情報同時送信手段は、ＣＵＧサーバから受信した認証結果が、グループ情報格納手段に格納したグループ情報に通信端末装置の情報が格納されている旨の認証結果である場合に、通信端末装置のグループ情報内における通信端末装置間の無線通信を確立し、通信端末装置から音声情報通知要求と共に受信した音声情報を第２の通信端末装置に送信することを特徴とする。
【００１９】
また、本発明にかかる無線通信システムは、音声情報同時送信手段は、通信端末装置の情報がＣＵＧ管理データベースに登録されていると判定した場合に、通信端末装置のグループ情報内における通信端末装置間の無線通信を確立し、通信端末装置から音声情報通知要求と共に受信した音声情報を第２の通信端末装置に送信することを特徴とする。
【００２０】
また、本発明にかかる無線通信方法は、プレストークスイッチを用いて無線通信を行う複数の通信端末装置と、通信端末装置間の無線通信を確立するサーバと、無線通信を確立する通信端末装置を管理する複数のＣＵＧサーバと、を有し、サーバとＣＵＧサーバとは各々異なる事業者が保持して構成される無線通信システムを用いて行う無線通信方法であって、ＣＵＧサーバが、プレストークスイッチを用いて無線通信を行う特定の通信端末装置間のグループを作成し、該作成したグループにＣＵＧサーバを識別するＣＵＧ識別情報を付与したグループ情報をＣＵＧサーバの具備する格納部に登録するグループ情報登録工程と、第１の通信端末装置が、グループ情報をＣＵＧサーバから取得し、該取得したグループ情報内の第２の通信端末装置に対して音声情報を通知するための音声情報通知要求をグループ情報と共にサーバに送信する音声情報通知要求工程と、サーバが、第１の通信端末装置から音声情報通知要求を受信した際に、音声情報通知要求と共に受信したグループ情報内のＣＵＧ識別情報を基に、第１の通信端末装置のグループ情報をＣＵＧサーバから取得し、該取得したグループ情報内における通信端末装置間の無線通信を確立し、グループ情報内の第２の通信端末装置に対して音声情報を送信する無線通信確立工程と、を行うことを特徴とする。
【００２１】
また、本発明にかかる無線通信方法は、プレストークスイッチを用いて無線通信を行う複数の通信端末装置と、通信端末装置間の無線通信を確立するサーバと、無線通信を確立する通信端末装置を管理する複数のＣＵＧサーバと、ＣＵＧサーバを管理するＣＵＧ管理データベースと、を有し、サーバとＣＵＧサーバとは各々異なる事業者が保持して構成される無線通信システムを用いて行う無線通信方法であって、ＣＵＧサーバが、プレストークスイッチを用いて無線通信を行う特定の通信端末装置間のグループを作成し、該作成したグループにＣＵＧサーバを識別するＣＵＧ識別情報を付与したグループ情報をＣＵＧサーバの具備する格納部に登録するグループ情報登録工程と、ＣＵＧサーバが、格納部に登録したグループ情報をＣＵＧ管理データベースに登録する第２のグループ情報登録工程と、第１の通信端末装置が、グループ情報をＣＵＧサーバから取得し、該取得したグループ情報内の第２の通信端末装置に対して音声情報を通知するための音声情報通知要求をグループ情報と共にサーバに送信する音声情報通知要求工程と、サーバが、第１の通信端末装置から音声情報通知要求を受信した際に、音声情報通知要求と共に受信したグループ情報内のＣＵＧ識別情報を基に、第１の通信端末装置のグループ情報をＣＵＧ管理データベースから取得し、該取得したグループ情報内における通信端末装置間の無線通信を確立し、グループ情報内の第２の通信端末装置に対して音声情報を送信する無線通信確立工程と、を行うことを特徴とする。
【００２２】
また、本発明にかかる無線通信方法は、プレストークスイッチを用いて無線通信を行う複数の通信端末装置と、通信端末装置間の無線通信を確立するサーバと、無線通信を確立する通信端末装置を管理する複数のＣＵＧサーバと、を有し、サーバとＣＵＧサーバとは各々異なる事業者が保持して構成される無線通信システムを用いて行う無線通信方法であって、ＣＵＧサーバが、プレストークスイッチを用いて無線通信を行う特定の通信端末装置間のグループを作成し、該作成したグループにＣＵＧサーバを識別するＣＵＧ識別情報を付与したグループ情報をＣＵＧサーバの具備する格納部に登録するグループ情報登録工程と、第１の通信端末装置が、グループ情報をＣＵＧサーバから取得し、該取得したグループ情報内の第２の通信端末装置に対して音声情報を通知するための音声情報通知要求をグループ情報と共にサーバに送信する音声情報通知要求工程と、サーバが、第１の通信端末装置から音声情報通知要求を受信した際に、音声情報通知要求と共に受信したグループ情報内のＣＵＧ識別情報を基にＣＵＧサーバを選択し、第１の通信端末装置の認証要求をＣＵＧサーバに送信する認証要求送信工程と、ＣＵＧサーバが、サーバから第１の通信端末装置の認証要求を受信した際に、グループ情報登録工程により格納部に登録したグループ情報に第１の通信端末装置の情報が登録されているか否かを判定し、その認証結果をサーバに送信する認証応答送信工程と、サーバが、ＣＵＧサーバから認証結果を受信した際に、その認証結果に応じて通信端末装置のグループ情報内における通信端末装置間の無線通信を確立し、第１の通信端末装置から受信した音声情報通知要求に応じるか否かの応答結果を第１の通信端末装置に送信する音声情報通知応答工程と、第１の通信端末装置が、サーバから応答結果を受信した際に、その応答結果が音声情報通知要求に応じる旨の応答結果の場合に、第２の通信端末装置に対する音声情報をサーバに送信する音声情報送信工程と、サーバが、第２の通信端末装置に対する音声情報を受信した際に、該受信した音声情報を第２の通信端末装置に送信する音声情報中継工程と、を行うことを特徴とする。
【００２３】
また、本発明にかかる無線通信方法は、プレストークスイッチを用いて無線通信を行う複数の通信端末装置と、通信端末装置間の無線通信を確立するサーバと、無線通信を確立する通信端末装置を管理する複数のＣＵＧサーバと、ＣＵＧサーバを管理するＣＵＧ管理データベースと、を有し、サーバとＣＵＧサーバとは各々異なる事業者が保持して構成される無線通信システムを用いて行う無線通信方法であって、ＣＵＧサーバが、プレストークスイッチを用いて無線通信を行う特定の通信端末装置間のグループを作成し、該作成したグループにＣＵＧサーバを識別するＣＵＧ識別情報を付与したグループ情報をＣＵＧサーバの具備する格納部に登録する第１のグループ情報登録工程と、ＣＵＧサーバが、格納部に登録したグループ情報をＣＵＧ管理データベースに登録する第２のグループ情報登録工程と、第１の通信端末装置が、グループ情報をＣＵＧサーバから取得し、該取得したグループ情報内の第２の通信端末装置に対して音声情報を通知するための音声情報通知要求をグループ情報と共にサーバに送信する音声情報通知要求工程と、サーバが、第１の通信端末装置から音声情報通知要求を受信した際に、音声情報通知要求と共に受信したグループ情報内のＣＵＧ識別情報を基に、第１の通信端末装置の情報がＣＵＧ管理データベースに登録されているか否かを判定し、その判定結果に応じて第１の通信端末装置のグループ情報内における通信端末装置間の無線通信を確立し、第１の通信端末装置から受信した音声情報通知要求に応じるか否かの応答結果を第１の通信端末装置に送信する音声情報通知応答工程と、第１の通信端末装置が、サーバから応答結果を受信した際に、その応答結果が音声情報通知要求に応じる旨の応答結果の場合に、第２の通信端末装置に対する音声情報をサーバに送信する音声情報送信工程と、サーバが、第２の通信端末装置に対する音声情報を受信した際に、該受信した音声情報を第２の通信端末装置に送信する音声情報中継工程と、を行うことを特徴とする。
【００２４】
また、本発明にかかる無線通信方法は、音声情報通知要求工程は、第１の通信端末装置が、ＣＵＧサーバから取得したグループ情報を第１の通信端末装置の具備する格納部に格納し、該格納したグループ情報内の第２の通信端末装置に対して音声情報を通知するための音声情報通知要求をグループ情報と共にサーバに送信することを特徴とする。
【００２５】
また、本発明にかかる無線通信方法は、音声情報通知要求工程は、第１の通信端末装置が、ＣＵＧサーバにアクセスし、グループ情報をＣＵＧサーバから取得し、該取得したグループ情報内の第２の通信端末装置に対して音声情報を通知するための音声情報通知要求をグループ情報と共にサーバに送信することを特徴とする。
【００２６】
また、本発明にかかる無線通信方法は、音声情報通知応答工程は、サーバがＣＵＧサーバから受信した認証結果が、ＣＵＧサーバに登録されているグループ情報に第１の通信端末装置の情報が登録されている旨の認証結果である場合には、サーバが第１の通信端末装置のグループ情報内における通信端末装置間の無線通信を確立し、音声情報通知要求に応じる応答結果を第１の通信端末装置に送信し、認証結果が、ＣＵＧサーバに登録されているグループ情報に第１の通信端末装置の情報が登録されていない旨の認証結果である場合には、サーバが第１の通信端末装置のグループ情報内における通信端末装置間の無線通信を確立せず、音声情報通知要求に応じない応答結果を第１の通信端末装置に送信することを特徴とする。
【００２７】
また、本発明にかかる無線通信方法は、音声情報通知応答工程は、第１の通信端末装置の情報がＣＵＧ管理データベースに登録されていると判定した場合には、サーバが第１の通信端末装置のグループ情報内における通信端末装置間の無線通信を確立し、第１の通信端末装置から受信した音声情報通知要求に応じる応答結果を第１の通信端末装置に送信し、第１の通信端末装置の情報がＣＵＧ管理データベースに登録されていないと判定した場合には、サーバが第１の通信端末装置のグループ情報内における通信端末装置間の無線通信を確立せず、第１の通信端末装置から受信した音声情報通知要求に応じない応答結果を第１の通信端末装置に送信することを特徴とする。
【００２８】
また、本発明にかかる無線通信方法は、第１の通信端末装置が、ＣＵＧサーバから取得したグループ情報内の第２の通信端末装置に対して音声情報を通知するための音声情報通知要求と共に第２の通信端末装置に対する音声情報をサーバに送信する音声情報同時要求工程と、サーバが、第１の通信端末装置から音声情報通知要求と共に受信した音声情報を第２の通信端末装置に送信する音声情報同時送信工程と、を更に行うことを特徴とする。
【００２９】
また、本発明にかかる無線通信方法は、グループ情報内の第２の通信端末装置は、グループ情報内の少なくとも１つの通信端末装置であり、第１の通信端末装置が、グループ情報内の少なくとも１つの通信端末装置を選択する工程を更に有し、第１の通信端末装置が、グループ情報内の第２の通信端末装置を設定することを特徴とする。
【００３０】
また、本発明にかかる無線通信方法は、音声情報同時送信工程は、サーバがＣＵＧサーバから受信した認証結果が、ＣＵＧサーバに登録されているグループ情報に第１の通信端末装置の情報が登録されている旨の認証結果である場合に、サーバが第１の通信端末装置から音声情報通知要求と共に受信した音声情報を第２の通信端末装置に送信することを特徴とする。
【００３１】
また、本発明にかかる無線通信方法は、音声情報同時送信工程は、サーバが、第１の通信端末装置の情報がＣＵＧ管理データベースに登録されていると判定した場合に、サーバが第１の通信端末装置から音声情報通知要求と共に受信した音声情報を第２の通信端末装置に送信することを特徴とする。
【発明の効果】
【００３２】
本発明にかかる無線通信システム及び無線通信方法は、プレストークスイッチを用いて無線通信を行う複数の通信端末装置と、通信端末装置間の無線通信処理を確立するサーバと、無線通信処理を確立する通信端末装置を管理するＣＵＧサーバと、を有し、サーバとＣＵＧサーバとは各々異なる事業者が保持して構成されており、ＣＵＧサーバが、プレストークスイッチを用いて無線通信を行う特定の通信端末装置間のグループを作成し、該作成したグループにＣＵＧサーバを識別するＣＵＧ識別情報を付与したグループ情報をＣＵＧサーバの具備する格納部に登録し、第１の通信端末装置が、グループ情報をＣＵＧサーバから取得し、該取得したグループ情報内の第２の通信端末装置に対して音声情報を通知するための音声情報通知要求をグループ情報と共にサーバに送信し、サーバが、第１の通信端末装置から音声情報通知要求を受信した際に、音声情報通知要求と共に受信したグループ情報内のＣＵＧ識別情報を基に、第１の通信端末装置のグループ情報をＣＵＧサーバから取得し、該取得したグループ情報内における通信端末装置間の無線通信を確立し、グループ情報内の第２の通信端末装置に対して音声情報を送信することで、特定の通信端末装置間の無線通信を行うためのグループ情報を特定のＣＵＧサーバに登録し、無線通信端末装置を保持するユーザがグループ情報内における通信端末装置間の無線通信を行うことになり、プレストークスイッチを用いた無線通信の使用形態の規制を緩和させ、ユーザが容易に無線通信処理を行うことが可能となる。また、通信端末装置間の無線通信を確立するサーバと、グループ情報を登録するＣＵＧサーバと、を各々異なる事業者が保持することで、グループ情報内における通信端末装置間の無線通信の登録料を、ＣＵＧサーバを保持する事業側が、通信端末装置間の無線通信を確立するサーバを保持する事業側に支払うことで、ユーザは、グループ情報内における通信端末装置間の無線通信のサービスを無料で行うことが可能となり、無線通信の使用形態及び無線通信の料金形態の規制を緩和することが可能となる。
【発明を実施するための最良の形態】
【００３３】
本発明にかかる無線通信システム及び無線通信方法は、通信キャリアが具備するＣＵＧ（Ｃｌｏｓｅｄ  Ｕｓｅｒ  Ｇｒｏｕｐ）サーバ（２００−１〜Ｎ（Ｎは任意の整数））を外部のＡＳＰ（Ａｐｐｌｉｃａｔｉｏｎ  Ｓｅｒｖｉｃｅ  Ｐｒｏｖｉｄｅｒ）等の企業側に設け、その外部に設けたＣＵＧサーバ（２００−１〜Ｎ）に、特定のＰＴＴ通信端末装置間（１〜Ｎ（Ｎは任意の整数））で無線通信処理を行うＰＴＴ通信端末装置のグループ情報を登録し、ＰＴＴ通信端末装置（１〜Ｎ）の管理を行うことを特徴とするものであり、ＰＴＴ（プレストークスイッチ）を用いて無線通信を行う複数のＰＴＴ通信端末装置（１〜Ｎ）と、ＰＴＴ通信端末装置間（１〜Ｎ）の通信処理を確立するＰＴＴサーバ（１００）と、無線通信処理を確立するＰＴＴ通信端末装置（１〜Ｎ）を管理するＣＵＧサーバ（２００−１〜Ｎ）と、を有し、ＰＴＴサーバ（１００）とＣＵＧサーバ（２００−１〜Ｎ）とは各々異なる事業者が保持して構成されており、ＣＵＧサーバ（２００−１〜Ｎ）が、プレストークスイッチを用いて無線通信を行う特定のＰＴＴ通信端末装置間（１〜Ｎ）のグループを作成し、該作成したグループにＣＵＧサーバ（２００−１〜Ｎ）を識別するＣＵＧ識別情報を付与したグループ情報をＣＵＧサーバ（２００−１〜Ｎ）の具備する格納部に登録し、第１のＰＴＴ通信端末装置（１〜Ｎ）が、ＣＵＧサーバ（２００−１〜Ｎ）からグループ情報を取得し、該取得したグループ情報内の第２のＰＴＴ通信端末装置（１〜Ｎ）に対して音声情報を通知するための音声情報通知要求をグループ情報と共にＰＴＴサーバ（１００）に送信し、ＰＴＴサーバ（１００）が、第１のＰＴＴ通信端末装置（１〜Ｎ）から音声情報通知要求を受信した際に、音声情報通知要求と共に受信したグループ情報内のＣＵＧ識別情報を基に、第１のＰＴＴ通信端末装置（１〜Ｎ）のグループ情報をＣＵＧサーバ（２００−１〜Ｎ）から取得し、該取得したグループ情報内における通信端末装置間（１〜Ｎ）の無線通信を確立し、グループ情報内の第２のＰＴＴ通信端末装置（１〜Ｎ）に対して音声情報を送信するものである。
【実施例１】
【００３４】
以下、添付図面を参照しながら、本発明にかかる実施例について説明する。
まず、図１を参照しながら、本発明にかかる無線通信システムのシステム構成について説明する。
【００３５】
本発明にかかる無線通信システムは、トランシーバー機能を搭載し、ＰＴＴ（プレストークスイッチ）を用いたワイヤレス通信を行うＰＴＴ通信端末装置（１〜Ｎ（Ｎは任意の整数））と、ＰＴＴ通信端末装置間（１〜Ｎ）の無線通信処理を確立させるＰＴＴサーバ（１００）と、ＰＴＴサーバ（１００）を介して無線通信処理を行うＰＴＴ通信端末装置間（１〜Ｎ）のグループを管理するＣＵＧサーバ（２００−１〜Ｎ（Ｎは任意の整数））と、を有して構成されている。
【００３６】
ＰＴＴ通信端末装置（１〜Ｎ）は、ＰＴＴ通信端末装置の具備する所定のボタン（プレストークスイッチ）を押下することで、ＰＴＴ通信端末装置間における無線通信処理を行う通信端末装置である。
【００３７】
ＰＴＴ通信端末装置（１〜Ｎ）は、図２に示すように、アンテナ部（１−１）と、無線送信部（１−２）と、無線受信部（１−３）と、格納部（１−４）、プレストークスイッチ（１−５）と、制御部（１−６）と、マイク（１−７）と、イヤホン（１−８）と、を有して構成される。
【００３８】
格納部（１−４）は、特定のＰＴＴ通信端末装置間で無線通信を行うＴａｌｋグループ情報を格納する部であり、このＴａｌｋグループ情報内に登録されたＰＴＴ通信端末装置間で無線通信処理が行われることになる。なお、このＴａｌｋグループ情報は、外部に設けられたＣＵＧサーバ(２００−１〜Ｎ)で作成して登録されたＴａｌｋグループ情報を取得して格納することとなり、このＴａｌｋグループ情報には、図３に示すように、Ｔａｌｋグループ情報が登録されているＣＵＧサーバを識別するためのＣＵＧ識別情報と、ＰＴＴ通信端末装置間で無線通信を確立するためのＴａｌｋグループ情報を識別するＴａｌｋグループ識別情報と、Ｔａｌｋグループ情報内で無線通信処理を確立するＰＴＴ通信端末装置を識別するためのＰＴＴ通信端末識別情報と、Ｔａｌｋグループ情報を用いて無線通信が確立できる有効期限を示す有効期限情報と、を有して構成されている。
【００３９】
なお、図２に示すＰＴＴ通信端末装置を用いて、格納部（１−４）に格納されたＴａｌｋグループ情報内のＰＴＴ通信端末装置に対して音声情報を送信するには、プレストークスイッチ（１−５）が押下されることで、マイク（１−７）により取得された音声情報が無線送信部（１−２）に入力され、無線通信のための変調を受けてアンテナ部（１−１）から送信されることになる。また、外部のＰＴＴ通信端末装置から送信された音声情報は、無線受信部（１−３）を介して入力された音声情報がイヤホン（１−８）から出力されることになる。
【００４０】
ＰＴＴサーバ（１００）は、ＰＴＴ通信端末装置間（１〜Ｎ）の無線通信処理を確立させる情報処理装置であり、図１に示すように、ルータ（１０２）と、パケットディプリケータ（１０３）と、呼制御部（１０４）と、を有して構成されており、ＰＴＴ通信端末装置（１〜Ｎ）から送信されたＴａｌｋグループ情報が基地局（１０１）を介してルータ（１０２）に送信され、ルータ（１０２）は、呼制御部（１０４）にＴａｌｋグループ情報を送信し、呼制御部（１０４）は、Ｔａｌｋグループ情報内に含まれるＣＵＧサーバの識別情報を基に、外部に設けられたＣＵＧサーバ（２００−１〜Ｎ）を選択し、その選択したＣＵＧサーバ（２００−１〜Ｎ）においてＰＴＴ通信端末装置の認証処理を行うことで、Ｔａｌｋグループ情報内のＰＴＴ通信端末装置間の呼制御を確立し、Ｔａｌｋグループ情報内におけるＰＴＴ通信端末装置間の無線通信処理を確立することになる。そして、ＰＴＴ通信端末装置（１〜Ｎ）から送信された音声情報が基地局（１０１）を介してルータ（１０２）に送信され、ルータ（１０２）は、パケットディプリケータ（１０３）に音声情報を送信し、パケットディプリケータ（１０３）において、音声情報を複製することで、無線通信処理が確立されたＴａｌｋグループ情報内のＰＴＴ通信端末装置（１〜Ｎ）に対して送信する音声情報が作成され、その作成された音声情報がＴａｌｋグループ情報内のＰＴＴ通信端末装置（１〜Ｎ）に送信されることになる。なお、図１のシステム構成は、ＰＴＴサーバ（１００）内にルータ（１０２）を設けた構成としたが、ＰＴＴサーバ（１００）内の構成は、これに限定するものではなく、ルータ（１０２）を設けない構成としても本発明にかかる無線システムは実施可能であり、ＰＴＴサーバ内の構成は特に限定するものではなく、種々変更実施可能である。
【００４１】
ＣＵＧサーバ（２００−１〜Ｎ）は、ＰＴＴサーバ（１００）を介して無線通信処理を行うＰＴＴ通信端末装置間（１〜Ｎ）のグループを管理する情報処理装置であり、ＣＵＧサーバ（２００−１〜Ｎ）において図３に示すＴａｌｋグループ情報を作成し、ＣＵＧサーバ（２００−１〜Ｎ）の具備する格納部にＴａｌｋグループ情報を登録して管理することになる。以下に、Ｔａｌｋグループ情報の作成処理について説明する。
【００４２】
（Ｔａｌｋグループ情報の作成方法）
まず、ＣＵＧサーバにおいて、ＣＵＧサーバを識別するためのＣＵＧ識別情報を登録する。
次に、Ｔａｌｋグループ情報を識別するためのＴａｌｋグループ名となるＴａｌｋグループ識別情報を登録する。
次に、Ｔａｌｋグループ情報を基に特定の無線通信処理を確立するためのＰＴＴ通信端末装置を識別するためのＰＴＴ通信端末識別情報を登録する。
次に、Ｔａｌｋグループ情報を基に、無線通信処理が可能となる有効期限情報（例えば１日、１週間、無制限等の情報）を登録する。
これにより、図３に示すようなＴａｌｋグループ情報が作成され、ＣＵＧサーバの具備する格納部にＴａｌｋグループ情報が登録されることになる。また、ＰＴＴ通信端末装置がＣＵＧサーバからＴａｌｋグループ情報を取得し、その取得したＴａｌｋグループ情報をＰＴＴ通信端末装置の具備する格納部に登録することになる。
【００４３】
なお、ＰＴＴ通信端末装置の識別情報をＣＵＧサーバに登録する際には、手入力により登録したり、ＰＴＴ通信端末装置から近距離無線通信（赤外線通信、非接触通信等）を用いてＰＴＴ通信端末装置の識別情報を登録したりすることも可能である。また、有効期限情報は、手入力により登録したり、予めＣＵＧサーバに設定された有効期限情報を登録したりすることも可能であり、このＴａｌｋグループ情報の作成方法は特に限定せず、公知の技術を用いて適宜変更して作成することは可能である。
【００４４】
（無線通信システムにおける処理動作）
次に、図４を参照しながら上記構成からなる無線通信システムにおける処理動作について説明する。
【００４５】
まず、Ｔａｌｋグループ情報をＣＵＧサーバの具備する格納部に登録すると共に、第１のＰＴＴ通信端末装置の具備する格納部にもＴａｌｋグループ情報を格納する（ステップＡ１）。
【００４６】
次に、第１のＰＴＴ通信端末装置は、第１のＰＴＴ通信端末装置の具備する格納部に格納したＴａｌｋグループ情報を用いて、第２のＰＴＴ通信端末装置に対する発呼要求を行うことになる（ステップＡ２）。
【００４７】
このとき、第１のＰＴＴ通信端末装置の具備する特定の操作ボタン（プレストークスイッチ）を押下し、そのプレストークスイッチの押下により、ＰＴＴサーバに対して第２のＰＴＴ通信端末装置に対する発呼要求を行うと共に、第１のＰＴＴ通信端末装置の具備する格納部に格納したＴａｌｋグループ情報をＰＴＴサーバに送信することになる。
【００４８】
次に、第１のＰＴＴ通信端末装置から第２のＰＴＴ通信端末装置に対する発呼要求を受信したＰＴＴサーバは、その発呼要求に応じるか否かを判定するために、ＣＵＧサーバに対して第１のＰＴＴ通信端末装置の認証要求を送信する（ステップＡ３）。
【００４９】
このとき、ＰＴＴサーバは、第１のＰＴＴ通信端末装置から発呼要求と共に受信したＴａｌｋグループ情報に含まれるＣＵＧサーバの識別情報を基にして認証要求の送信先となるＣＵＧサーバを決定し、その決定したＣＵＧサーバに第１のＰＴＴ通信端末装置の認証要求を送信すると共に、第１のＰＴＴ通信端末装置から受信したＴａｌｋグループ情報を送信することになる。
【００５０】
第１のＰＴＴ通信端末装置の認証要求を受信したＣＵＧサーバは、第１のＰＴＴ通信端末装置の認証要求と共に受信したＴａｌｋグループ情報に含まれる第１のＰＴＴ通信端末装置の識別情報が、ＣＵＧサーバの具備する格納部に登録したＴａｌｋグループ情報に登録されているか否かを判定し、第１のＰＴＴ通信端末装置の認証処理を行うことになる。そして、ＣＵＧサーバは、第１のＰＴＴ通信端末装置の認証処理が完了した際に、その認証結果をＰＴＴサーバに送信する（ステップＡ４）。
【００５１】
ＣＵＧサーバから認証結果を受信したＰＴＴサーバは、その受信した認証結果を基に第２のＰＴＴ通信端末装置への発呼要求に応じるか否かを判定することになり、ＣＵＧサーバから受信した認証結果が、第１のＰＴＴ通信端末装置の識別情報がＴａｌｋグループ情報に登録されている旨の判定結果の場合には、第２のＰＴＴ通信端末装置への発呼要求に応じることになり、第１のＰＴＴ通信端末装置の識別情報が登録されたＴａｌｋグループ情報をＰＴＴサーバがＣＵＧサーバから取得して一次的に保持し、第１のＰＴＴ通信端末装置の識別情報が登録されたＴａｌｋグループ情報内のＰＴＴ通信端末装置間における無線通信処理の呼制御を確立すると共に、第２のＰＴＴ通信端末装置への発呼要求に応じる旨の認証結果を第１のＰＴＴ通信端末装置に送信することになる。また、ＰＴＴサーバは、Ｔａｌｋグループ情報内のＰＴＴ通信端末装置間における無線通信処理の呼制御が確立された旨を第２のＰＴＴ通信端末装置に対して送信することになる（ステップＡ５）。
【００５２】
なお、第１のＰＴＴ通信端末装置の識別情報が登録されたＴａｌｋグループ情報内のＰＴＴ通信端末装置間における無線通信処理の呼制御をＰＴＴサーバが確立するには、第１のＰＴＴ通信端末装置の識別情報がＴａｌｋグループ情報に登録されているとＣＵＧサーバが判定した場合に、第１のＰＴＴ通信端末装置の識別情報が登録されたＴａｌｋグループ情報をＣＵＧサーバがＰＴＴサーバに送信することでも可能である。
【００５３】
また、ＣＵＧサーバから受信した認証結果が、第１のＰＴＴ通信端末装置の識別情報がＴａｌｋグループ情報に登録されていない旨の判定結果の場合には、第２のＰＴＴ通信端末装置への発呼要求に応じないことになり、第１のＰＴＴ通信端末装置の識別情報が登録されたＴａｌｋグループ情報内のＰＴＴ通信端末装置間における無線通信処理の呼制御を確立せず、第２のＰＴＴ通信端末装置への発呼要求に応じない旨の認証結果を第１のＰＴＴ通信端末装置に送信することになる（ステップＡ５）。
【００５４】
次に、第１のＰＴＴ通信端末装置は、ＰＴＴサーバから受信した認証結果が、第２のＰＴＴ通信端末装置への発呼要求に応じる旨の認証結果である場合には、第２のＰＴＴ通信端末装置に対して音声情報を通知することになり、第１のＰＴＴ通信端末装置の具備するマイクから取得した音声情報を第２のＰＴＴ通信端末装置に通知させるための音声通知要求を音声情報と共にＰＴＴサーバに対して送信する（ステップＡ６）。
【００５５】
呼制御が確立されたＰＴＴサーバは、第１のＰＴＴ通信端末装置から音声通知要求を受信すると、音声通知要求と共に受信した音声情報を第２のＰＴＴ通信端末装置に対して送信することになる（ステップＡ７）。これにより、第２のＰＴＴ通信端末装置がＰＴＴサーバから受信した音声情報が第２のＰＴＴ通信端末装置の具備するスピーカから出力されることになり、第２のＰＴＴ通信端末装置の保持者は、第１のＰＴＴ通信端末装置の保持者が発した音声を聞くことが可能となる。
【００５６】
このように、特定のＰＴＴ通信端末装置間におけるＰＴＴ通信処理を確立するＴａｌｋグループ情報をＣＵＧサーバに登録し、第１のＰＴＴ通信端末装置から第２のＰＴＴ通信端末装置に対して音声情報を送信する際に、ＣＵＧサーバに登録したＴａｌｋグループ情報を基に第１のＰＴＴ通信端末装置の認証処理を行い、第１のＰＴＴ通信端末装置が登録されたＴａｌｋグループ情報内のＰＴＴ通信端末装置間による無線通信処理の呼制御をＰＴＴサーバで確立させることで、その確立させたＴａｌｋグループ内に登録されている第２のＰＴＴ通信端末装置に対して音声情報を通知することが可能となる。なお、無線通信処理を行うユーザは、Ｔａｌｋグループ情報をＣＵＧサーバに登録することで、ＰＴＴサーバを保持するキャリア側に対し無線通信処理を行う際の登録料を支払うことなく、無線通信による音声通話を可能とし、無線通信処理を行う際の登録料は、ＣＵＧサーバを保持するＡＳＰ等の企業側がキャリア側に支払うことになる。これにより、ＣＵＧサーバにＴａｌｋグループ情報を登録して無線通信処理を行う際の登録料を支払うことなく、無線通信処理を行うことが可能となり、また、ＡＳＰ等の企業側はユーザの集客効果を得ることが可能となる。
【００５７】
なお、ＣＵＧサーバに登録されるＴａｌｋグループ情報には、無線通信を可能とする有効期限情報が含まれて構成されており、ＣＵＧサーバがＰＴＴ通信端末装置の認証処理を行う際に、無線通信を可能とする有効期限を超えていると判定した場合は、無線通信処理ができない旨の情報をＰＴＴサーバに送信し、無線通信を可能とするＰＴＴ通信端末装置を管理することになる。また、無線通信を可能とする有効期限を超えているＴａｌｋグループ情報をＣＵＧサーバが消去することでも、無線通信を可能とするＰＴＴ通信端末装置を管理することが可能となる。
【００５８】
また、第１のＰＴＴ通信端末装置が音声情報を送信する第２のＰＴＴ通信端末装置は、Ｔａｌｋグループ情報内のＰＴＴ通信端末装置の中から選択して送信することが可能であり、例えば、第１のＰＴＴ通信端末装置の具備する表示部において音声情報を送信する第２のＰＴＴ通信端末装置をＴａｌｋグループ情報内から選択し、その選択した第２のＰＴＴ通信端末装置のみに音声情報を送信することになる。また、この選択操作をせず、Ｔａｌｋグループ情報内の全てのＰＴＴ通信端末装置に対して送信するように自動設定することも可能である。
【実施例２】
【００５９】
次に、第２の実施例について説明する。
第２の実施例は、第１の実施例において第２のＰＴＴ通信端末装置への発呼要求と共に、第２のＰＴＴ通信端末装置へ送信する音声情報も同時にＰＴＴサーバに対して送信することを特徴とするものである。これにより、第１のＰＴＴ通信端末装置の認証が完了した後に、第２のＰＴＴ通信端末装置に対して音声情報を送信する必要がないため、第２のＰＴＴ通信端末装置に音声情報を送信するまでの処理を簡略化することが可能となる。以下、図５を参照しながら第２の実施例における無線通信処理について説明する。
【００６０】
まず、Ｔａｌｋグループ情報をＣＵＧサーバの具備する格納部に登録すると共に、第１のＰＴＴ通信端末装置の具備する格納部にもＴａｌｋグループ情報を格納する（ステップＢ１）。
【００６１】
次に、第１のＰＴＴ通信端末装置は、第１のＰＴＴ通信端末装置の具備する操作ボタン（プレストークスイッチ）が押下された際に、ＰＴＴサーバに対して第２のＰＴＴ通信端末装置に対する発呼要求を行うと共に、第１のＰＴＴ通信端末装置の具備する格納部に格納したＴａｌｋグループ情報をＰＴＴサーバに送信する。また、第１のＰＴＴ通信端末装置の具備するマイクを介して取得した音声情報もＰＴＴサーバに送信することになる（ステップＢ２）。
【００６２】
次に、第１のＰＴＴ通信端末装置から第２のＰＴＴ通信端末装置への発呼要求を受信したＰＴＴサーバは、その発呼要求に応じるか否かを判定するために、ＣＵＧサーバに対して第１のＰＴＴ通信端末装置の認証要求と、Ｔａｌｋグループ情報を送信する（ステップＢ３）。そして、第１のＰＴＴ通信端末装置の認証要求を受信したＣＵＧサーバは、第１のＰＴＴ通信端末装置の認証要求と共に受信したＴａｌｋグループ情報に含まれる第１のＰＴＴ通信端末装置の識別情報が、ＣＵＧサーバの具備する格納部に登録したＴａｌｋグループ情報に登録されているか否かを判定し、第１のＰＴＴ通信端末装置の認証処理を行うことになる。そして、ＣＵＧサーバは、第１のＰＴＴ通信端末装置の認証処理が完了した際に、その認証結果をＰＴＴサーバに送信する（ステップＢ４）。
【００６３】
ＣＵＧサーバから認証結果を受信したＰＴＴサーバは、その受信した認証結果を基に第２のＰＴＴ通信端末装置への発呼要求に応じるか否かを判定することになり、ＣＵＧサーバから受信した認証結果が、第１のＰＴＴ通信端末装置の識別情報がＴａｌｋグループ情報に登録されている旨の判定結果の場合には、第２のＰＴＴ通信端末装置への発呼要求に応じることになり、第１のＰＴＴ通信端末装置の識別情報が登録されたＴａｌｋグループ情報をＰＴＴサーバがＣＵＧサーバから取得して一次的に保持し、第１のＰＴＴ通信端末装置の識別情報が登録されたＴａｌｋグループ情報内のＰＴＴ通信端末装置間における無線通信処理の呼制御を確立すると共に、Ｔａｌｋグループ情報内のＰＴＴ通信端末装置間における無線通信処理の呼制御が確立された旨を、第１のＰＴＴ通信端末装置と、第２のＰＴＴ通信端末装置に対して送信することになる。また、第１のＰＴＴ通信端末装置から受信した音声情報を第２のＰＴＴ通信端末装置に送信することになる（ステップＢ５）。これにより、ＰＴＴサーバから第２のＰＴＴ通信端末装置が受信した音声情報が第２のＰＴＴ通信端末装置の具備するスピーカから出力されることになり、第２のＰＴＴ通信端末装置の保持者は、第１のＰＴＴ通信端末装置の保持者が発した音声を聞くことが可能となる。なお、第１のＰＴＴ通信端末装置の識別情報が登録されたＴａｌｋグループ情報内のＰＴＴ通信端末装置間における無線通信処理の呼制御をＰＴＴサーバが確立するには、第１のＰＴＴ通信端末装置の識別情報がＴａｌｋグループ情報に登録されているとＣＵＧサーバが判定した場合に、第１のＰＴＴ通信端末装置の識別情報が登録されたＴａｌｋグループ情報をＣＵＧサーバがＰＴＴサーバに送信することでも可能である。
【００６４】
また、ＣＵＧサーバから受信した認証結果が、第１のＰＴＴ通信端末装置の識別情報が登録されていない旨の判定結果の場合には、第２のＰＴＴ通信端末装置への発呼要求に応じないことになり、第１のＰＴＴ通信端末装置の識別情報が登録されたＴａｌｋグループ情報内のＰＴＴ通信端末装置間における無線通信処理の呼制御を確立せず、第１のＰＴＴ通信端末装置から受信した音声情報は第２のＰＴＴ通信端末装置に送信されることはなく、第２のＰＴＴ通信端末装置への発呼要求に応じない旨の認証結果を第１のＰＴＴ通信端末装置に通知することになる（ステップＢ５）。
【００６５】
このように、第１のＰＴＴ通信端末装置からＰＴＴサーバに対して第２のＰＴＴ通信端末装置に対する発呼要求を行うと共に、第１のＰＴＴ通信端末装置の具備するマイクを介して取得した音声情報もＰＴＴサーバに送信することで、第１のＰＴＴ通信端末装置において１度の操作を行うことで、第２のＰＴＴ通信端末装置に音声情報を通知することになり、第１のＰＴＴ通信端末装置において煩雑な操作を行うことなく音声情報を送信することが可能となる。
【実施例３】
【００６６】
次に、第３の実施例について説明する。
第１の実施例は、第１のＰＴＴ通信端末装置の具備する格納部にＴａｌｋグループ情報を格納したが、第３の実施例は、第１のＰＴＴ通信端末装置の具備する格納部にＴａｌｋグループ情報を格納せず、第１のＰＴＴ通信端末装置がＣＵＧサーバにアクセスし、ＣＵＧサーバに登録したＴａｌｋグループ情報を取得し、その取得したＴａｌｋグループ情報を基に第１の実施例と同様の無線通信処理を行うことを特徴とするものである。以下、図６を参照しながら第３の実施例における無線通信処理について説明する。
【００６７】
まず、Ｔａｌｋグループ情報をＣＵＧサーバの具備する格納部に登録し、第１のＰＴＴ通信端末装置は、ＣＵＧサーバにアクセスするための接続情報を第１のＰＴＴ通信端末装置の具備する格納部に格納することになる（ステップＣ１）。
【００６８】
次に、第１のＰＴＴ通信端末装置は、第１のＰＴＴ通信端末装置の具備する格納部に格納した接続情報を基に、ＣＵＧサーバにアクセスし（ステップＣ２）、第１のＰＴＴ通信端末装置は、ＣＵＧサーバに登録したＴａｌｋグループ情報を取得する（ステップＣ３）。なお、ＣＵＧサーバに登録したＴａｌｋグループ情報に含まれる有効期限情報が無線通信を可能とする有効期限を超えている場合は、第１のＰＴＴ通信端末装置はＴａｌｋグループ情報をＣＵＧサーバから取得できないこととなり、無線通信処理ができないことになる。
【００６９】
Ｔａｌｋグループ情報をＣＵＧサーバから取得した第１のＰＴＴ通信端末装置は、その取得したＴａｌｋグループ情報を基に、Ｔａｌｋグループ情報に含まれる第２のＰＴＴ通信端末装置に対して発呼要求を行うことになり、第１のＰＴＴ通信端末装置の具備する操作ボタン（プレストークスイッチ）を押下し、ＰＴＴサーバに対して第２のＰＴＴ通信端末装置に対する発呼要求を行うと共に、ＣＵＧサーバから取得したＴａｌｋグループ情報をＰＴＴサーバに送信する（ステップＣ４）。そして、第１の実施例の処理動作と同様に、第１のＰＴＴ通信端末装置からＰＴＴサーバを介して第２のＰＴＴ通信端末装置に音声情報を通知することになる（ステップＣ５〜ステップＣ９）。
【００７０】
このように、第１のＰＴＴ通信端末装置がＣＵＧサーバにアクセスし、ＣＵＧサーバに登録したＴａｌｋグループ情報を取得し、その取得したＴａｌｋグループ情報内のＰＴＴ通信端末装置と無線通信処理を行うことで、ＰＴＴ通信端末装置の格納部にＴａｌｋグループ情報を登録することなく、第１の実施例と同様の無線通信処理を行うことが可能となる。
【実施例４】
【００７１】
次に、第４の実施例について説明する。
第２の実施例は、第１のＰＴＴ通信端末装置の具備する格納部にＴａｌｋグループ情報を格納したが、第４の実施例は、第１のＰＴＴ通信端末装置の具備する格納部にＴａｌｋグループ情報を格納せず、第１のＰＴＴ通信端末装置がＣＵＧサーバにアクセスし、ＣＵＧサーバに登録したＴａｌｋグループ情報を取得し、その取得したＴａｌｋグループ情報を基に第２の実施例と同様の無線通信処理を行うことを特徴とするものである。以下、図７を参照しながら第４の実施例における無線通信処理について説明する。
【００７２】
まず、Ｔａｌｋグループ情報をＣＵＧサーバの具備する格納部に登録し、第１のＰＴＴ通信端末装置は、ＣＵＧサーバにアクセスするための接続情報を第１のＰＴＴ通信端末装置の具備する格納部に格納することになる（ステップＤ１）。
【００７３】
次に、第１のＰＴＴ通信端末装置は、第１のＰＴＴ通信端末装置の具備する格納部に格納した接続情報を基に、ＣＵＧサーバにアクセスし（ステップＤ２）、第１のＰＴＴ通信端末装置はＣＵＧサーバに登録したＴａｌｋグループ情報を取得する（ステップＤ３）。次に、第１のＰＴＴ通信端末装置は、ＣＵＧサーバから取得したＴａｌｋグループ情報を基に、Ｔａｌｋグループ情報に含まれる第２のＰＴＴ通信端末装置に対して発呼要求を行うことになり、第１のＰＴＴ通信端末装置の具備する操作ボタン（プレストークスイッチ）を押下し、ＰＴＴサーバに対して第２のＰＴＴ通信端末装置に対する発呼要求を行うと共に、ＣＵＧサーバから取得したＴａｌｋグループ情報をＰＴＴサーバに送信する。また、第１のＰＴＴ通信端末装置の具備するマイクを介して取得した音声情報も同時にＰＴＴサーバに対して送信することになる（ステップＤ４）。そして、第２の実施例の処理動作と同様に、第１のＰＴＴ通信端末装置からＰＴＴサーバを介して第２のＰＴＴ通信端末装置に音声情報を通知することになる（ステップＤ５〜ステップＤ７）。
【００７４】
このように、第１のＰＴＴ通信端末装置がＣＵＧサーバにアクセスし、ＣＵＧサーバに登録したＴａｌｋグループ情報を取得し、その取得したＴａｌｋグループ情報内のＰＴＴ通信端末装置と無線通信処理を行うことで、ＰＴＴ通信端末装置の格納部にＴａｌｋグループ情報を登録することなく、第２の実施例と同様の無線通信処理を行うことが可能となる。
【実施例５】
【００７５】
次に、第５の実施例について説明する。
第５の実施例は、ＡＳＰの保持するＣＵＧサーバを管理するためのＣＵＧ管理データベースをキャリア側に保持させ、ＣＵＧサーバにおいて行っていたＰＴＴ通信端末装置の認証処理を、ＣＵＧ管理データベースを用いて行うことを特徴とするものである。以下に、図８を参照しながら第５の実施例における無線通信システムの構成を説明し、その後に図９を参照しながら第５の実施例における無線通信システムの処理動作について説明する。
【００７６】
第５の実施例における無線通信システムは、図８に示すように、複数のＣＵＧサーバ（２００−１〜Ｎ）に登録されたＴａｌｋグループ情報を、各ＣＵＧサーバ毎に区分して管理するＣＵＧ管理データベース（３００）を新たに設け、ＣＵＧ管理データベース（３００）に保持したＴａｌｋグループ情報を基に、ＰＴＴ通信端末装置（１〜Ｎ）の認証処理を行うことになる。なお、このＣＵＧ管理データベース（３００）は、キャリア側が保持することになり、ＡＳＰ等の企業側に提供する複数のＣＵＧサーバ（２００−１〜Ｎ）を管理し、ＡＳＰ等の企業側が支払う無線通信の登録料を管理することになる。以下、図９を参照しながら第５の実施例における無線通信処理について説明する。
【００７７】
まず、Ｔａｌｋグループ情報をＣＵＧサーバの具備する格納部に登録すると共に、第１のＰＴＴ通信端末装置の具備する格納部にもＴａｌｋグループ情報を格納する（ステップＥ１）。
【００７８】
次に、ＣＵＧサーバは、ＣＵＧサーバの具備する格納部に登録したＴａｌｋグループ情報をキャリア側の具備するＣＵＧ管理データベースに送信し、ＣＵＧ管理データベースにＴａｌｋグループ情報を登録する（ステップＥ２）。
【００７９】
次に、第１のＰＴＴ通信端末装置は、第１のＰＴＴ通信端末装置の具備する格納部に格納したＴａｌｋグループ情報を用いて、第２のＰＴＴ通信端末装置に対する発呼要求を行うことになり、第１のＰＴＴ通信端末装置の具備する操作ボタン（プレストークスイッチ）が押下された際に、ＰＴＴサーバに対して第２のＰＴＴ通信端末装置に対する発呼要求を行うと共に、第１のＰＴＴ通信端末装置の具備する格納部に格納したＴａｌｋグループ情報をＰＴＴサーバに送信する（ステップＥ３）。
【００８０】
第１のＰＴＴ通信端末装置から発呼要求を受信したＰＴＴサーバは、第２のＰＴＴ通信端末装置への発呼要求に応じるか否かを判定するために、第１のＰＴＴ通信端末装置から発呼要求と共に受信したＴａｌｋグループ情報内に含まれるＣＵＧサーバの識別情報を基にして、第１のＰＴＴ通信端末装置から発呼要求と共に受信したＴａｌｋグループ情報に含まれる第１のＰＴＴ通信端末装置の識別情報が、ＣＵＧ管理データベースに登録されているか否かを判定する（ステップＥ４）。
【００８１】
この判定処理により、第１のＰＴＴ通信端末装置の識別情報がＣＵＧ管理データベースに登録されていると判定した場合は、ＰＴＴサーバが第２のＰＴＴ通信端末装置への発呼要求に応じることになり、第１のＰＴＴ通信端末装置の識別情報が登録されたＴａｌｋグループ情報をＰＴＴサーバがＣＵＧ管理データベースから取得して一次的に保持し、第１のＰＴＴ通信端末装置の識別情報が登録されたＴａｌｋグループ情報内のＰＴＴ通信端末装置間における無線通信処理の呼制御を確立すると共に、第２のＰＴＴ通信端末装置への発呼要求に応じる旨の認証結果を第１のＰＴＴ通信端末装置に送信することになる。また、ＰＴＴサーバは、Ｔａｌｋグループ情報内のＰＴＴ通信端末装置間における無線通信処理の呼制御が確立された旨を第２のＰＴＴ通信端末装置に対して送信することになる（ステップＥ５）。
【００８２】
また、第１のＰＴＴ通信端末装置の識別情報がＣＵＧ管理データベースに登録されていないと判定した場合は、第２のＰＴＴ通信端末装置への発呼要求に応じないことになり、第１のＰＴＴ通信端末装置の識別情報が登録されたＴａｌｋグループ情報内のＰＴＴ通信端末装置間における無線通信処理の呼制御を確立せず、第２のＰＴＴ通信端末装置への発呼要求に応じない旨の認証結果を第１のＰＴＴ通信端末装置に送信することになる（ステップＥ５）。
【００８３】
次に、第１のＰＴＴ通信端末装置は、ＰＴＴサーバから受信した認証結果が、第２のＰＴＴ通信端末装置への発呼要求に応じる旨の認証結果である場合には、第２のＰＴＴ通信端末装置に対して音声情報を通知することになり、第１のＰＴＴ通信端末装置の具備するマイクから取得した音声情報を第２のＰＴＴ通信端末装置に通知させるための音声通知要求を音声情報と共にＰＴＴサーバに対して送信する（ステップＥ６）。
【００８４】
呼制御が確立されたＰＴＴサーバは、第１のＰＴＴ通信端末装置から受信した音声通知要求を基に、第２のＰＴＴ通信端末装置に対して音声情報を送信する（ステップＥ７）。これにより、第２のＰＴＴ通信端末装置がＰＴＴサーバから受信した音声情報が第２のＰＴＴ通信端末装置の具備するスピーカから出力されることになり、第２のＰＴＴ通信端末装置の保持者は、第１のＰＴＴ通信端末装置の保持者が発した音声を聞くことが可能となる。
【００８５】
このように、ＣＵＧサーバに登録されたＴａｌｋグループ情報をＣＵＧ管理データベースに登録し、そのＣＵＧ管理データベースに登録したＴａｌｋグループ情報を基に、第１のＰＴＴ通信端末装置の認証処理を行い、第１のＰＴＴ通信端末装置の識別情報が登録されたＴａｌｋグループ情報内のＰＴＴ通信端末装置間による無線通信処理の呼制御をＰＴＴサーバで確立させることで、外部のＣＵＧサーバにＰＴＴ通信端末装置の認証要求を送信する必要がないため無線通信処理を簡略化することが可能となる。また、企業側に提供したＣＵＧサーバを一括して管理することが可能となる。
【００８６】
なお、ＣＵＧ管理データベースに登録されるＴａｌｋグループ情報には、無線通信を可能とする有効期限情報が含まれて構成されており、ＰＴＴサーバがＣＵＧ管理データベースに登録されているＴａｌｋグループ情報を基に第１のＰＴＴ通信端末装置の認証処理を行う際に、無線通信を可能とする有効期限を超えていると判定した場合は、無線通信処理ができない旨の情報を第１のＰＴＴ通信端末装置に送信し、無線通信を可能とするＰＴＴ通信端末装置を管理することになる。また、無線通信を可能とする有効期限を超えたＴａｌｋグループ情報をＣＵＧ管理データベースからＰＴＴサーバが消去することでも無線通信を可能とするＰＴＴ通信端末装置を管理することは可能となる。
【実施例６】
【００８７】
次に、第６の実施例について説明する。
第６の実施例は、第５の実施例と同様のＣＵＧサーバを管理するＣＵＧ管理データベースを新たに設けた無線通信システムにおいて、ＣＵＧ管理データベースに登録されたＴａｌｋグループ情報を基にＰＴＴ通信端末装置の認証処理を行い、第２の実施例と同様の無線通信処理を行うことを特徴とするものである。以下、図１０を参照しながら第６の実施例の処理動作について説明する。
【００８８】
まず、Ｔａｌｋグループ情報をＣＵＧサーバの具備する格納部に登録すると共に、第１のＰＴＴ通信端末装置の具備する格納部にもＴａｌｋグループ情報を格納する（ステップＦ１）。
【００８９】
次に、ＣＵＧサーバは、ＣＵＧサーバの具備する格納部に登録したＴａｌｋグループ情報をキャリア側の具備するＣＵＧ管理データベースに送信し、ＣＵＧ管理データベースにＴａｌｋグループ情報を登録する（ステップＦ２）。
【００９０】
第２のＰＴＴ通信端末装置に発呼要求を行う第１のＰＴＴ通信端末装置は、第１のＰＴＴ通信端末装置の具備する操作ボタン（プレストークスイッチ）が押下された際に、ＰＴＴサーバに対して第２のＰＴＴ通信端末装置に対する発呼要求を行うと共に、第１のＰＴＴ通信端末装置の具備する格納部に格納したＴａｌｋグループ情報をＰＴＴサーバに送信する。また、第１のＰＴＴ通信端末装置の具備するマイクを介して取得した音声情報もＰＴＴサーバに送信することになる（ステップＦ３）。
【００９１】
第１のＰＴＴ通信端末装置から発呼要求を受信したＰＴＴサーバは、第２のＰＴＴ通信端末装置への発呼要求に応じるか否かを判定するために、第１のＰＴＴ通信端末装置から発呼要求と共に受信したＴａｌｋグループ情報に含まれる第１のＰＴＴ通信端末装置の識別情報が、ＣＵＧ管理データベースに登録されているか否かを判定する（ステップＦ４）。
【００９２】
この判定処理により、第１のＰＴＴ通信端末装置の識別情報がＣＵＧ管理データベースに登録されていると判定した場合は、ＰＴＴサーバは第２のＰＴＴ通信端末装置への発呼要求に応じることになり、第１のＰＴＴ通信端末装置の識別情報が登録されたＴａｌｋグループ情報をＰＴＴサーバがＣＵＧ管理データベースから取得して一次的に保持し、第１のＰＴＴ通信端末装置の識別情報が登録されたＴａｌｋグループ情報内のＰＴＴ通信端末装置間における無線通信処理の呼制御を確立すると共に、Ｔａｌｋグループ情報内のＰＴＴ通信端末装置間における無線通信処理の呼制御が確立された旨を、第１のＰＴＴ通信端末装置と、第２のＰＴＴ通信端末装置に対して送信することになる。また、第１のＰＴＴ通信端末装置から受信した音声情報を第２のＰＴＴ通信端末装置に送信することになる（ステップＦ５）。これにより、ＰＴＴサーバから第２のＰＴＴ通信端末装置が受信した音声情報が第２のＰＴＴ通信端末装置の具備するスピーカから出力されることになり、第２のＰＴＴ通信端末装置の保持者は、第１のＰＴＴ通信端末装置の保持者が発した音声を聞くことが可能となる。
【００９３】
また、第１のＰＴＴ通信端末装置の識別情報がＣＵＧ管理データベースに登録されていないと判定した場合は、ＰＴＴサーバは第２のＰＴＴ通信端末装置への発呼要求に応じないことになり、第１のＰＴＴ通信端末装置の識別情報が登録されたＴａｌｋグループ情報内のＰＴＴ通信端末装置間における無線通信処理の呼制御を確立せず、第１のＰＴＴ通信端末装置から受信した音声情報は第２のＰＴＴ通信端末装置に送信されることはなく、第２のＰＴＴ通信端末装置への発呼要求に応じない旨の認証結果を第１のＰＴＴ通信端末装置に通知することになる（ステップＦ５）。
【００９４】
このように、ＣＵＧサーバに登録されたＴａｌｋグループ情報をＣＵＧ管理データベースに登録する。そして第１のＰＴＴ通信端末装置からＰＴＴサーバに対して第２のＰＴＴ通信端末装置に対する発呼要求を行うと共に、第１のＰＴＴ通信端末装置の具備するマイクを介して取得した音声情報もＰＴＴサーバに送信し、ＣＵＧ管理データベースに登録したＴａｌｋグループ情報を基に、ＰＴＴ通信端末装置の認証処理を行い、第１のＰＴＴ通信端末装置の識別情報が登録されたＴａｌｋグループ情報内のＰＴＴ通信端末装置間による無線通信処理の呼制御をＰＴＴサーバで確立させることで、ＰＴＴ通信端末装置の認証処理を簡略化することが可能となると共に、第１のＰＴＴ通信端末装置において煩雑な操作を行うことなく音声情報を第２のＰＴＴ通信端末装置に送信することが可能となる。
【実施例７】
【００９５】
次に、第７の実施例について説明する。
第７の実施例は、第５の実施例と同様のＣＵＧサーバを管理するＣＵＧ管理データベースを新たに設けた無線通信システムにおいて、第１のＰＴＴ通信端末装置の具備する格納部にＴａｌｋグループ情報を格納せず、第１のＰＴＴ通信端末装置がＣＵＧサーバにアクセスし、ＣＵＧサーバに登録したＴａｌｋグループ情報を取得し、その取得したＴａｌｋグループ情報を基に第５の実施例と同様の無線通信処理を行うことを特徴とするものである。以下、図１１を参照しながら第７の実施例における無線通信処理について説明する。
【００９６】
まず、Ｔａｌｋグループ情報をＣＵＧサーバの具備する格納部に登録し、第１のＰＴＴ通信端末装置は、ＣＵＧサーバにアクセスするための接続情報を第１のＰＴＴ通信端末装置の具備する格納部に格納することになる（ステップＧ１）。
【００９７】
次に、ＣＵＧサーバは、ＣＵＧサーバの具備する格納部に登録したＴａｌｋグループ情報をキャリア側の具備するＣＵＧ管理データベースに送信し、ＣＵＧ管理データベースにＴａｌｋグループ情報を登録する（ステップＧ２）。
【００９８】
次に、第１のＰＴＴ通信端末装置は、第１のＰＴＴ通信端末装置の具備する格納部に格納した接続情報を基に、ＣＵＧサーバにアクセスし（ステップＧ３）、第１のＰＴＴ通信端末装置は、ＣＵＧサーバに登録したＴａｌｋグループ情報を取得する（ステップＧ４）。次に、第１のＰＴＴ通信端末装置は、ＣＵＧサーバから取得したＴａｌｋグループ情報を基に、Ｔａｌｋグループ情報に含まれる第２のＰＴＴ通信端末装置に対して発呼要求を行うことになり、第１のＰＴＴ通信端末装置の具備する操作ボタン（プレストークスイッチ）を押下し、ＰＴＴサーバに対して第２のＰＴＴ通信端末装置に対する発呼要求を行うと共に、ＣＵＧサーバから取得したＴａｌｋグループ情報をＰＴＴサーバに送信する（ステップＧ５）。そして、第５の実施例の処理動作と同様に、第１のＰＴＴ通信端末装置からＰＴＴサーバを介して第２のＰＴＴ通信端末装置に音声情報が通知することになる（ステップＧ５〜ステップＧ９）。
【００９９】
このように、第１のＰＴＴ通信端末装置がＣＵＧサーバにアクセスし、ＣＵＧサーバに登録したＴａｌｋグループ情報を取得し、その取得したＴａｌｋグループ情報内に登録されているＰＴＴ通信端末装置の識別情報のＰＴＴ通信端末装置と無線通信処理を行うことで、ＰＴＴ通信端末装置の格納部にＴａｌｋグループ情報を登録することなく、第５の実施例と同様の無線通信処理を行うことが可能となる。
【実施例８】
【０１００】
次に、第８の実施例について説明する。
第８の実施例は、第５の実施例と同様のＣＵＧサーバを管理するＣＵＧ管理データベースを新たに設けた無線通信システムにおいて、第１のＰＴＴ通信端末装置の具備する格納部にＴａｌｋグループ情報を格納せず、第１のＰＴＴ通信端末装置がＣＵＧサーバにアクセスし、ＣＵＧサーバに登録したＴａｌｋグループ情報を取得し、その取得したＴａｌｋグループ情報を基に第６の実施例と同様の無線通信処理を行うことを特徴とするものである。以下、図１２を参照しながら第８の実施例における無線通信処理について説明する。
【０１０１】
まず、Ｔａｌｋグループ情報をＣＵＧサーバの具備する格納部に登録し、第１のＰＴＴ通信端末装置は、ＣＵＧサーバにアクセスするための接続情報を第１のＰＴＴ通信端末装置の具備する格納部に格納することになる（ステップＨ１）。
【０１０２】
次に、ＣＵＧサーバは、ＣＵＧサーバの具備する格納部に登録したＴａｌｋグループ情報をキャリア側の具備するＣＵＧ管理データベースに送信し、ＣＵＧ管理データベースにＴａｌｋグループ情報を登録する（ステップＨ２）。
【０１０３】
次に、第１のＰＴＴ通信端末装置は、第１のＰＴＴ通信端末装置の具備する格納部に格納した接続情報を基に、ＣＵＧサーバにアクセスし（ステップＨ３）、第１のＰＴＴ通信端末装置はＣＵＧサーバに登録したＴａｌｋグループ情報を取得する（ステップＨ４）。
【０１０４】
第１のＰＴＴ通信端末装置は、ＣＵＧサーバから取得したＴａｌｋグループ情報を基に、Ｔａｌｋグループ情報に含まれる第２のＰＴＴ通信端末装置に対して発呼要求を行うことになり、第１のＰＴＴ通信端末装置の具備する操作ボタン（プレストークスイッチ）を押下し、ＰＴＴサーバに対して第２のＰＴＴ通信端末装置に対する発呼要求を行うと共に、ＣＵＧサーバから取得したＴａｌｋグループ情報をＰＴＴサーバに送信する。また、第１のＰＴＴ通信端末装置の具備するマイクを介して取得した音声情報も同時にＰＴＴサーバに対して送信することになる（ステップＨ５）。そして、第６の実施例の処理動作と同様に、第１のＰＴＴ通信端末装置からＰＴＴサーバを介して第２のＰＴＴ通信端末装置に音声情報を通知することになる（ステップＨ６〜ステップＨ７）。
【０１０５】
このように、第１のＰＴＴ通信端末装置がＣＵＧサーバにアクセスし、ＣＵＧサーバに登録したＴａｌｋグループ情報を取得し、その取得したＴａｌｋグループ情報内のＰＴＴ通信端末装置と無線通信処理を行うことで、ＰＴＴ通信端末装置の格納部にＴａｌｋグループ情報を登録することなく、第６の実施例と同様の無線通信処理を行うことが可能となる。
【０１０６】
なお、上述する実施例は、本発明の好適な実施例であり、本発明の要旨を逸脱しない範囲内において種々変更実施が可能である。例えば、上記実施例において、ＰＴＴサーバとＣＵＧサーバとが各々独立して設けられて構成される無線通信システムにおいて、ＣＵＧサーバに登録されたＴａｌｋグループ情報内におけるＰＴＴ通信端末装置間の無線通信処理をＰＴＴサーバで確立し、ＰＴＴ通信端末装置からＰＴＴサーバに送信された音声情報を、ＰＴＴサーバで確立したＴａｌｋグループ情報内のＰＴＴ通信端末装置に送信できれば、ＰＴＴ通信端末装置と、ＰＴＴサーバと、ＣＵＧサーバと、を介して行う情報の送受信は特に限定しない。また、上記実施例において無線通信システム間で送受信するＴａｌｋグループ情報は、電話番号に対応づけられたＵＲＩ等で表現されるアドレスとして送受信することも可能であり、そのＴａｌｋグループ情報の形式は特に限定しない。また、上述した実施例における処理動作をプログラムとして、ＰＴＴ通信端末装置間の無線通信処理を確立可能な情報処理装置において実行させることでも、本発明にかかる無線通信システムを構築することは可能である。
【産業上の利用可能性】
【０１０７】
本発明にかかる無線通信システム及び無線通信方法は、トランシーバー機能を搭載し、所定の操作ボタンを押下することで、特定の通信端末装置間で無線通信処理が可能な情報通信端末装置を用いた無線通信システムに適用可能である。
【図面の簡単な説明】
【０１０８】
【図１】本発明にかかる無線通信システムのシステム構成を示す図である。
【図２】本発明にかかる無線通信システムを構成するＰＴＴ通信端末装置の機能構成を示すブロック図である。
【図３】特定のＰＴＴ通信端末装置間において無線通信処理を可能とするためのＴａｌｋグループ情報を示すイメージ図である。
【図４】本発明にかかる第１の実施例の無線通信システムにおける処理動作を示すシーケンスチャートである。
【図５】本発明にかかる第２の実施例の無線通信システムにおける処理動作を示すシーケンスチャートである。
【図６】本発明にかかる第３の実施例の無線通信システムにおける処理動作を示すシーケンスチャートである。
【図７】本発明にかかる第４の実施例の無線通信システムにおける処理動作を示すシーケンスチャートである。
【図８】本発明にかかる第５の実施例における無線通信システムのシステム構成を示す図である。
【図９】本発明にかかる第５の実施例の無線通信システムにおける処理動作を示すシーケンスチャートである。
【図１０】本発明にかかる第６の実施例の無線通信システムにおける処理動作を示すシーケンスチャートである。
【図１１】本発明にかかる第７の実施例の無線通信システムにおける処理動作を示すシーケンスチャートである。
【図１２】本発明にかかる第８の実施例の無線通信システムにおける処理動作を示すシーケンスチャートである。
【図１３】従来の無線通信システムのシステム構成を示す図である。
【符号の説明】
【０１０９】
１〜Ｎ    ＰＴＴ通信端末装置
１−１    アンテナ部
１−２    無線送信部
１−３    無線受信部
１−４    格納部
１−５    プレストークスイッチ
１−６    制御部
１−７    マイク
１−８    イヤホン
１００    ＰＴＴサーバ
１０１−１〜Ｎ    基地局
１０２    ルータ
１０３    パケットディプリケータ
１０４    呼制御部
２００−１〜Ｎ    ＣＵＧサーバ
３００    ＣＵＧ管理データベース
【図１】
2005117197.tif 000003
【図２】
2005117197.tif 000004
【図３】
2005117197.tif 000005
【図４】
2005117197.tif 000006
【図５】
2005117197.tif 000007
【図６】
2005117197.tif 000008
【図７】
2005117197.tif 000009
【図８】
2005117197.tif 000010
【図９】
2005117197.tif 000011
【図１０】
2005117197.tif 000012
【図１１】
2005117197.tif 000013
【図１２】
2005117197.tif 000014
【図１３】
2005117197.tif 000015